(57)【要約】【課題】液体中に溶解しているガスを有効利用することによって刺激感や洗浄力、あるいはガスが有する美容・健康促進効果などが十分に得られる吐水装置を提供することを目的とする。【解決手段】密閉空間を形成可能な密閉容器と、一端が前記密閉空間に連通可能であり他端が前記密閉空間外で開口する通水路と、前記通水路を開閉する開閉弁と、を備え、前記密閉空間内に貯留されガスにより加圧された液体を前記通水路の前記他端から吐出させる吐水装置であって、前記通水路の途上に設けられ、前記液体における気泡の含有比率を増加させる気液分離手段をさらに備えたことを特徴とする吐水装置を提供する。【選択図】　図１
2004000578.tif 000002
【特許請求の範囲】
【請求項１】
密閉空間を形成可能な密閉容器と、一端が前記密閉空間に連通可能であり他端が前記密閉空間外で開口する通水路と、前記通水路を開閉する開閉弁と、を備え、
前記密閉空間内に貯留されガスにより加圧された液体を前記通水路の前記他端から吐出させる吐水装置であって、
前記通水路の途上に設けられ、前記液体における気泡の含有比率を増加させる気液分離手段をさらに備えたことを特徴とする吐水装置。
【請求項２】
前記気液分離手段は、前記液体における前記気泡の合致を生じさせることを特徴とする請求項１記載の吐水装置。
【請求項３】
前記気液分離手段は、前記液体を撹拌させることにより、前記液体における気泡の含有比率を増加させることを特徴とする請求項１または２に記載の吐水装置。
【請求項４】
前記気液分離手段は、前記液体の乱流を形成することにより、前記液体における気泡の含有比率を増加させることを特徴とする請求項１または２に記載の吐水装置。
【請求項５】
前記気液分離手段は、前記液体の旋回流を形成することにより、前記液体における気泡の含有比率を増加させることを特徴とする請求項１または２に記載の吐水装置。
【請求項６】
前記気液分離手段は、液体流入口及び第１の液体吐出口を介して前記通水路に連通した液体流入室を有し、前記液体流入室の流路断面積は、前記液体流入口及び前記第１の液体吐出口のいずれよりも大であり、
前記液体流入口と前記第１の液体吐出口とは、前記液体流入室において直接対向しないように設けられていることを特徴とする請求項１〜５のいずれか１つに記載の吐水装置。
【請求項７】
前記液体流入口と前記第１の液体吐出口との間に、遮蔽体が設けられたことを特徴とする請求項６記載の吐水装置。
【請求項８】
前記第１の液体吐出口は、前記液体流入口に対して偏心して設けられたことを特徴とする請求項６記載の吐水装置。
【請求項９】
前記第１の液体吐出口は、前記液体を前記通水路の前記他端から前記吐出させる状態において、前記液体流入口よりも上方に設けられることを特徴とする請求項８記載の吐水装置。
【請求項１０】
前記液体流入室は、前記液体に旋回流を生じさせる周壁を有し、
前記液体流入口は、前記液体が前記周壁の接線方向に沿って前記液体流入室内に流入するように設けられ、
前記第１の液体吐出口は、前記液体が前記旋回流の旋回方向に沿って前記液体流入室から吐出されるように設けられたことを特徴とする請求項６、８及び９のいずれか１つに記載の吐水装置。
【請求項１１】
前記液体流入室は、略円錐状の周壁を有し、
前記第１の液体吐出口は、前記周壁が形成する前記略円錐の頂上付近に設けられたことを特徴とする請求項６、８及び９のいずれか１つに記載の吐水装置。
【請求項１２】
前記液体の前記旋回流によって回転可能な回転体が前記液体流入室の中に設けられたことを特徴とする請求項１０または１１に記載の吐水装置。
【請求項１３】
前記回転体は、球状または円柱状のいずれかであることを特徴とする請求項１２記載の吐水装置。
【請求項１４】
前記回転体は、羽根車状であることを特徴とする請求項１２記載の吐水装置。
【請求項１５】
前記回転体は、前記旋回流の旋回の中心軸を中心とする扇状であることを特徴とする請求項１２記載の吐水装置。
【請求項１６】
前記気液分離手段は、前記液体流入室において前記液体流入口に対して略同心して設けられた第２の液体吐出口と、
前記液体流入室から前記液体が流出する流路を前記第１及び第２の液体吐出口のいずれかに切り替える切り替え手段と、
をさらに有することを特徴とする請求項６〜１１のいずれか１つに記載の吐水装置。
【請求項１７】
前記切り替え手段は、前記液体が流出する流路を前記第１及び第２の液体吐出口のいずれかに切り替え、または、前記第１及び第２の液体吐出口のいずれも遮断することを特徴とする請求項１６記載の吐水装置。
【請求項１８】
前記周壁に少なくとも１つの突起が設けられたことを特徴とする請求項１０または１１に記載の吐水装置。
【請求項１９】
前記気液分離手段は、前記液体の圧力を低下させることにより、前記液体における気泡の含有比率を増加させることを特徴とする請求項３〜１８記載の吐水装置。
【請求項２０】
前記密閉空間の内圧が変動しても前記通水路の前記他端から吐出される前記液体の流量を略一定にする定流量弁をさらに備えたことを特徴とする請求項１〜１９のいずれか１つに記載の吐水装置。
【請求項２１】
前記密閉空間の内圧が変動しても前記通水路の前記他端から吐出される前記液体の吐出圧力を略一定にする定圧弁をさらに備えたことを特徴とする請求項１〜１９のいずれか１つに記載の吐水装置。
【請求項２２】
前記密閉容器は、容器と、前記容器の口に係合し前記容器と共働して前記密閉空間を形成する蓋と、を有し、
前記容器内に貯留した液体に発泡薬剤を溶解させることにより、前記ガスを発生させて前記液体を加圧することを特徴とする請求項１〜２１のいずれか１つに記載の吐水装置。
【請求項２３】
前記密閉容器は、開閉可能な接続口を有し、
ガスが加圧状態で充填された加圧容器を前記接続口に接続し、前記密閉空間内に貯留された前記液体を、前記加圧容器に充填された前記ガスにより加圧することを特徴とする請求項１〜２１のいずれか１つに記載の吐水装置。
【請求項２４】
前記通水路の前記他端は、開口を有する吐出部を形成し、
前記吐出部は、前記液体をミスト状に吐出することを特徴とする請求項１〜２３のいずれか１つに記載の吐水装置。
【請求項２５】
前記ガスは、二酸化炭素を主成分とすることを特徴とする請求項１〜２４のいずれか１つに記載の吐水装置。
【発明の詳細な説明】
【０００１】
【発明の属する技術分野】
本発明は、吐水装置に関し、より詳細には、炭酸水などの液体を吐出させ、美容・健康促進効果や洗浄作用などが得られる吐水装置に関する。
【０００２】
【従来の技術】
炭酸水などのガスを含有した液体は、人体に対して、血行促進や温感刺激、角質除去、静菌作用、洗浄効果などの各種の効果を与える。従って、このような液体を、使用場所を選ばずに何処でも手軽に吐出させ使用できる小型の吐水装置があると便利である。
【０００３】
液体を吐出させる装置としては、例えば、特許文献１に開示された携帯用肛門洗浄器がある。この携帯用肛門洗浄器は、ノズルを連結したバルブボタンを上部に取り付けた容器と、容器底部のネジ式蓋からなるもので、容器内の水に発泡錠剤を入れ、融解させ、発生する気体によって、容器内部に圧力を与え、ノズルより水を噴射させることを特徴とする。
【０００４】
【特許文献１】
特開平４−５８９１９号公報
【０００５】
【発明が解決しようとする課題】
しかし、特許文献１に開示された携帯用肛門洗浄器の場合、容器内において炭酸ガスにより加圧された水をバルブの開操作により大気中にそのまま吐水する。このため、ノズルから噴射される炭酸水は、微細な気泡を含有するにとどまる。一般的に加圧された液体が吐水されると液体中に溶解していたガスの一部が減圧効果によって、気泡となって発生するが、液体中にはまだ多量のガスが溶解した状態となっている。また、吐水直後に減圧効果によって発生する気泡の量は少量の微細な気泡を含有するにとどまる。少量の微細な気泡のみでは、人体などに対する刺激は不十分であり、洗浄力に乏しい。また、炭酸ガスが有する血行促進効果なども十分に得られないおそれがある。
【０００６】
本発明に係る気液分離手段をもうけると、液体中に多量に残存するガスを積極的に気泡化し、さらに吐水中に含まれる気泡径を制御することができる。本発明は係る課題の認識に基づいてなされたものであり、液体中に溶解しているガスを有効利用することによって刺激感や洗浄力、あるいはガスが有する美容・健康促進効果などが十分に得られる吐水装置を提供することを目的とする。
【０００７】
【課題を解決するための手段】
上記目的を達成するため、本発明の吐水装置は、密閉空間を形成可能な密閉容器と、一端が前記密閉空間に連通可能であり他端が前記密閉空間外で開口する通水路と、前記通水路を開閉する開閉弁と、を備え、前記密閉空間内に貯留されガスにより加圧された液体を前記通水路の前記他端から吐出させる吐水装置であって、前記通水路の途上に設けられ、前記液体における気泡の含有比率を増加させる気液分離手段をさらに備えたことを特徴とする。
【０００８】
上記構成よれば、気液分離手段を設けることにより、液体中に多量に残存するガスを積極的に気泡化し、さらに吐水中に含まれる気泡径を制御することができる。液体中に溶解しているガスを有効利用することによって刺激感や洗浄力、あるいはガスが有する美容・健康促進効果などが十分に得られる。すなわち、二酸化炭素などのガスが有する各種の生体効果や適度や刺激感やマッサージ効果、洗浄効果などを高めることができる。
【０００９】
また、前記気液分離手段は、前記液体における前記気泡の合致を生じさせるものとすることができる。つまり、気泡の生成のみならず、生成された気泡を合致させ、気泡のサイズを大きくすることができる。すなわち、水層と気体層とが交互に分離した状態で液体が吐水されることとなり、刺激のある洗浄感やマッサージ感が得られる。また、気泡と水が交互に被処理部位に当たることになり、水と気泡による振動効果により強力な洗浄力や血行促進作用などが得られる。
【００１０】
また、前記気液分離手段は、前記液体を撹拌させることにより、前記液体における気泡の含有比率を増加させるものとすることもできる。すなわち、加圧され炭酸ガスなどのガスが溶解した液体を撹拌すると、せん断効果により、液体の減圧効果を高めることができる。その結果として、液体中に溶解したガスの気泡としての生成を促進させることができる。
【００１１】
また、前記気液分離手段は、前記液体の乱流を形成することにより、前記液体における気泡の含有比率を増加させるものとすることもできる。すなわち、加圧され炭酸ガスなどのガスが溶解した液体の乱流を形成すると、液体の減圧効果を高めることができる。その結果として、液体中に溶解したガス気泡として生成させる効果と、またこれらの気泡を合致させる効果を促進させることができる。
【００１２】
また、前記気液分離手段は、前記液体の旋回流を形成することにより、前記液体における気泡の含有比率を増加させるものとすることもできる。すなわち、加圧され炭酸ガスなどのガスが溶解した液体において旋回流を形成すると、その旋回中心においては、圧力が低下するため、液体中に溶解したガスの気泡としての生成と気泡の合致を促進させることができる。
【００１３】
また、前記気液分離手段は、液体流入口及び第１の液体吐出口を介して前記通水路に連通した液体流入室を有し、前記液体流入室の流路断面積は、前記液体流入口及び前記第１の液体吐出口のいずれよりも大であり、前記液体流入口と前記第１の液体吐出口とは、前記液体流入室において直接対向しないように設けられているものとすることができる。
【００１４】
すなわち、液体吐出口と液体流入口とは直接対向しておらず、液体流入室は通水路よりも流路断面積が広いため、炭酸ガスなどのガスが溶解した液体は液体流入室で減圧、攪拌される。このため、液体中に溶解したガスは気泡として生成し、発生した微細な気泡は攪拌作用により液体と分離され、より大きな気泡形状となる。すなわち水層と気体層とが交互に分離した状態で液体が吐水されることとなり、刺激のある洗浄感が得られる。また、気泡と水が交互に被処理部位に当たることになり、水と気泡による振動効果により強力な洗浄力や血行促進作用などが得られる。
【００１５】
またここで、前記液体流入口と前記第１の液体吐出口との間に、遮蔽体が設けられたものとすることができる。
【００１６】
本発明に係る吐水装置においては、減圧することで、気泡が発生することは前述したが、液体流入室内に液体吐出口と液体流入口とが直接対向しないように遮蔽体を設けることで、発生した微細な気泡は液体流入室内で遮蔽体に衝突し、液体は液体流入室内でよりいっそう攪拌される。このことより液体流入室は乱流状態となり液体中に溶解したガスは気泡として生成し、発生した微細な気泡は合致して、より大きな気泡形状となりやすくなる。よって液体吐出口から吐水される液体は水層と気体層とが交互に分離した状態となり、気泡と水が交互に被処理部位にあたり、刺激のある洗浄感が得られる。この場合は、液体流入口と液体吐出口は同心状でも、偏心した状態でもよいため、気液分離装置の形状に自由度を持たせることができる。
【００１７】
また、前記第１の液体吐出口は、前記液体流入口に対して偏心して設けられたものとすることができる。
【００１８】
本発明に係る吐水装置においては、液体流入口から液体流入室内に流入した液体は、液体吐出口が液体流入口と同心上にないため、液体流入室の内壁に衝突した後に液体吐出口から吐出される。よって液体流入室内の流れに「乱れ」が発生して、液体流入室内はより攪拌された状態となり、減圧効果により液体中での気泡の生成が促進され、発生した気泡は液体流入室内で合致してより大きな気泡形状となる。このため、液体吐出口から吐水される液体は水層と気体層とが交互に分離した状態となり、気泡と水が交互に被処理部位にあたり、刺激のある洗浄感やマッサージ感が得られる。
【００１９】
また、前記第１の液体吐出口は、前記液体を前記通水路の前記他端から前記吐出させる状態において、前記液体流入口よりも上方に設けられるものとすることができる。
【００２０】
本発明に係る吐水装置は、気液分離手段の一部である液体流入室内において、気泡と水を分離し吐水するものである。通常、分離された気泡は、浮力が小さいため液体流入室の上方向に集まりやすい。ここで、液体吐出口が液体流入口よりも下方向にあると、気泡が液体流入室から吐出されにくくなり、気泡の液体流入室内の抜け具合によって圧力損失が大きく変化し定流量性が得られない場合がある。このことより、液体吐出口が液体流入口よりも上方向にあると、分離された気泡が液体流入室に滞留することがなくスムーズに吐水することができるため、吐水時における定流量性能が損なわれず、使用者の使い勝手がよい。
【００２１】
また、前記液体流入室は、前記液体に旋回流を生じさせる周壁を有し、前記液体流入口は、前記液体が前記周壁の接線方向に沿って前記液体流入室内に流入するように設けられ、前記第１の液体吐出口は、前記液体が前記旋回流の旋回方向に沿って前記液体流入室から吐出されるように設けられたものとすることができる。
【００２２】
液体流入室内で旋回流が発生するように液体吐出口と液体流入口を偏心して設けることにより、液体流入室内には遠心力が働き、密度の大きい液体は液体流入室周壁へ、密度の小さい気体は液体流入室中心へ移動し、微細な気泡は液体流入室の中心で合致し、気体と液体が分離される。この分離されたものが液体吐出口から吐水されるため、液体は水層と気体層とが交互に分離した状態となり、気泡と水が交互に被処理部位にあたり、刺激のある洗浄感やマッサージ感が得られる。
【００２３】
また、前記液体流入室は、略円錐状の周壁を有し、前記第１の液体吐出口は、前記周壁が形成する前記略円錐の頂上付近に設けられたものとすることができる。
【００２４】
上記構成においては、水層と分離された気体層は、略円錐の頂上の液体吐出口から排出されるので、液体流入室に滞留することがなく、分離された、気体、液体の搬送がスムーズに行われる。
【００２５】
また、前記液体の前記旋回流によって回転可能な回転体が前記液体流入室の中に設けられたものとすることができる。すなわち、旋回流により回転体を回転させれば、液体の撹拌作用が得られ、減圧効果による気泡の生成や合致を促進させることができる。さらにまた、回転体による気泡の分断効果も生じ、気泡のサイズを最適な範囲に制御することが容易となる。
【００２６】
ここで、前記回転体は、球状または円柱状のいずれかであるものとすることができる。または、前記回転体は、羽根車状であるものとすることもでき、さらにまたは、前記回転体は、前記旋回流の旋回の中心軸を中心とする扇状であるものとすることができる。
【００２７】
これらいずれの場合も、旋回流により回転体を回転させれば、液体の撹拌作用が得られ、減圧効果による気泡の生成や合致を促進させることができる。さらにまた、回転体による気泡の分断効果も生じ、気泡のサイズを最適な範囲に制御することが容易となる。
【００２８】
また、前記気液分離手段は、前記液体流入室において前記液体流入口に対して略同心して設けられた第２の液体吐出口と、前記液体流入室から前記液体が流出する流路を前記第１及び第２の液体吐出口のいずれかに切り替える切り替え手段と、をさらに有するものとすることもできる。
【００２９】
流路を切り換えることで、液体流入口と同心上に設けられた第２の液体吐出口から吐水する場合は、液体は減圧効果により発生した微細な気泡が分散した状態で混入しており、ソフトで、柔らかい感じの洗浄感が得られる。また、液体流入口と偏心した第１の液体吐出口から吐水する場合は、液体は水層と気体層とが交互に分離した状態となっており、水と気泡が交互に被処理部位にあたることにより刺激のある洗浄感やマッサージ感が得られる。また、水と気泡による振動効果により強力な洗浄力が得られる。このことより、切り替え手段により流路を切り換えることで使用者の好みにあった吐水形態で液体を吐水することができる。
【００３０】
また、前記切り替え手段は、前記液体が流出する流路を前記第１及び第２の液体吐出口のいずれかに切り替え、または、前記第１及び第２の液体吐出口のいずれも遮断するものとすることもできる。このようにすれば、加圧吐水装置内の通水路の開閉を行う開閉弁を別途設ける必要がなくなる。
【００３１】
また、前記液体流入室の周壁に少なくとも１つの突起を設けてもよい。液体流入室内に旋回流を発生させて気体と液体を分離する場合、液体流入室内に発生する遠心力を利用しており、気泡は液体流入室中心近傍、液体は液体流入室周壁に集約される。また、液体中には加圧気体が溶存した状態となっている。このため液体流入室周壁に突起を設けることにより、液体流入室の周壁の液体が突起に衝突し、液体流入室の流れに「乱れ」が生じ、流れが剥離され、局部的に負圧部が発生し、より液体から気泡が発生しやすくなる。ここで、一度発生した気体は再び溶解しにくい性質から、液体中に溶解している気泡を積極的に液体中に気泡として発生させることで、気体と液体を効果的に分離することができる。
【００３２】
ここで、前記気液分離手段は、前記液体の圧力を低下させることにより、前記液体における気泡の含有比率を増加させるものとすることができる。すなわち、炭酸ガスなどのガスが溶解した液体を減圧すれば、液体中に溶解したガスを気泡として生成させることができる。
【００３３】
また、前記密閉空間の内圧が変動しても前記通水路の前記他端から吐出される前記液体の流量を略一定にする定流量弁をさらに備えたものとしてもよい。または、前記密閉空間の内圧が変動しても前記通水路の前記他端から吐出される前記液体の吐出圧力を略一定にする定圧弁をさらに備えたものとしてもよい。
【００３４】
上記構成によれば、通水路の前記他端から吐出する気泡流の流量や圧力が略一定に自動的調整されるので、手動操作による開閉弁の開度調整を要することなく吐水の初期から終期まで安定した吐水が得られ、また適正長さの吐水時間が得られる。またさらに、これら定流量弁や定圧弁においても減圧効果などによる気液分離作用が得られる。従って、本発明の気液分離手段と併せて、本発明の効果をさらに増強することができる。
【００３５】
また、前記密閉容器は、容器と、前記容器の口に係合し前記容器と共働して前記密閉空間を形成する蓋と、を有し、前記容器内に貯留した液体に発泡薬剤を溶解させることにより、前記ガスを発生させて前記液体を加圧するものとすることができる。
【００３６】
液体と発泡薬剤とを投入して加圧液体を生成すれば、再利用が可能であり、また異なる種類の加圧液体なども随意に生成できる。
【００３７】
ここで、本願明細書において、「溶解」とは発泡薬剤の略全体が液体に接触して活発にガスが発生する状態を意味し、発泡薬剤のごく一部が水滴などに接触して僅かなガスが発生する状態を含まないものとする。
【００３８】
また、前記密閉容器は、開閉可能な接続口を有し、ガスが加圧状態で充填された加圧容器を前記接続口に接続し、前記密閉空間内に貯留された前記液体を、前記加圧容器に充填された前記ガスにより加圧するものとすることもできる。
加圧容器として例えばカートリッジ型のガスボンベなどを接続して加圧することによっても、吐水装置の再利用が可能であり、また異なる種類の加圧液体などを随意に生成できる。
【００３９】
また、前記通水路の前記他端は、開口を有する吐出部を形成し、前記吐出部は、前記液体をミスト状に吐出するものとすることができる。例えば、突起の先端に設けられた吐水口から液体を吐出させると、突起周囲の外気を巻き込むことにより均液滴からなるミスト状の吐水が得られる。また、気液分離手段により気泡の含有比率を増加させ、大きな気泡が形成された気泡流をミスト状に噴霧すると、間欠状あるいはパルス状のミストが得られる。その結果として、スプレー吐水であり且つ適度な刺激が得られる。つまり、マッサージ効果が得られる。また同時に、ミスト状に噴霧させることにより、均一な吐水が容易となり、被処理部における「水たれ」を抑制できる。
【００４０】
また、前記ガスは、二酸化炭素を主成分とするものとすることができる。炭酸水の気泡流は、皮膚直下の血管を拡張させることにより血行を促進させる。また、皮膚の温感（受容器）を刺激し、冷感（受容器）を抑制することにより、暖まり感を与えることもできる。さらにまた、皮膚の角質を除去するピーリング効果や、静菌効果、アストリンゼント効果なども得られる。
またさらに、二酸化炭素は水に対する溶解度が高いので、気液分離手段により得られる気泡の生成と合致の作用によって気泡量と気泡サイズの増大の効果が顕著に得られ、刺激感や洗浄作用が特に顕著に向上する。
【００４１】
【発明の実施の形態】
以下、図面に示す実施例に基づいて本発明を説明する。
まず、本発明の第１の実施例に係る吐水装置について説明する。
図１は、本発明の吐水装置の第１の実施例を表す概念図である。図１に表したように、本実施例にかかる吐水装置は、液体および発泡薬剤を貯留する容器１と、容器１と協働して密閉空間を形成する蓋２とを備えている。また、一端が容器１内で開口し、他端が蓋２外で開口する通水路３を備えている。また通水路３の蓋２内で延在する部分を開閉する開閉弁４と、開閉弁４を手動操作するための操作スイッチ５が蓋に取付られている。また、通水路３の蓋２内で延在する部分には気液分離手段６と定流量弁７が設けられており、気液分離手段６は定流量弁７よりも下流側に設けられている。また、通水路３の蓋２外で延在する部分が、吐水ノズル８を構成している。
さらに容器１と蓋２の嵌合部には、発泡薬剤を保持する薬剤フォルダー９が配設されている。
【００４２】
次に、吐水装置の作動を説明する。
使用者は蓋２を容器１から取り外し、容器１に水を入れ、次いでガスを発生させる発泡薬剤を容器１内に設置された薬剤フォルダー９に投入し、蓋２により容器１を施蓋して容器１を密閉する。薬剤フォルダー９に投入する発泡薬剤としては、例えば炭酸塩と有機酸とを主成分とする粒状などの発泡薬剤を用いることができる。
【００４３】
このような発泡薬剤と水とが反応すると、炭酸ガスが発生する。例えば、発泡薬剤に、炭酸水素ナトリウム（３ＮａＨＣＯ３：重曹）と、有機酸たとえばクエン酸などの果実酸（ＨＯＯＣ−Ｃ（ＯＨ）（ＣＨ２ＣＯＯＨ）２）とを配合した場合、これらが水に溶解すると、以下の反応により、炭酸ガス（ＣＯ２）が発生する。
３ＮａＨＣＯ３　＋ＨＯＯＣ−Ｃ（ＯＨ）（ＣＨ２ＣＯＯＨ）２
→　ＮａＯＯＣ−Ｃ（ＯＨ）（ＣＨ２ＣＯＯＮａ）２＋３Ｈ２Ｏ＋３ＣＯ２
なおここで、反応生成物　ＮａＯＯＣ−Ｃ（ＯＨ）（ＣＨ２ＣＯＯＮａ）２は、クエン酸ナトリウムである。これら配合剤及び反応生成物は、いずれも食品添加物などとして用いられるものであり、人体に害を及ぼす心配はない。
【００４４】
このようにして発生した炭酸ガスは、容器１内の水に溶解すると共に、容器１内の空気層に合流し、空気層の圧力を上昇させ、容器１内部を加圧する。容器１の内部に十分な圧力が得られた頃に、使用者はノズル８を所望の身体部位へ差し向け、操作スイッチ５を押して開閉弁４を開く。加圧された水は通水路３に流入し開閉弁４を通過し、定流量弁７を通って略一定流量に調節され、気液分離手段６に流入する。
【００４５】
ここで、本発明に係る吐水装置においては、容器１内で炭酸ガスが加圧溶解した液体が吐水されるとき、定流量弁７を介して減圧され、減圧効果により溶解しきれなくなった炭酸ガスが気泡化し、気泡が分散混入した液体が気液分離手段６に流入する。気液分離手段６は、気泡の生成と合致を促進する作用を有する。つまり、気液分離手段６により、発生した微細な気泡は、後に詳述する攪拌作用などにより液体と分離され、より大きな気泡形状となる。すなわち気液分離手段６の通過後は、通水路３内では水層と気体層とが交互に分離した状態となり、ノズル８から吐水される液体は気泡と交互に身体部位に当たることになる。よって使用者は水と気泡による振動効果により刺激があり、かつ強力な洗浄力のある吐水形態で身体部位を洗浄することができる。
なお、上述の如く、定流量弁７においても、減圧効果により気泡の生成が生ずる点で気液分離作用は得られる。これに対して、本発明においては、気泡の生成と合致の効果が顕著なく気液分離手段６を設ける。
【００４６】
以下、本発明の気液分離手段６の構成について説明する。
まず、本発明の気液分離手段６の第１の具体例について説明する。
図２（ａ）は、本発明の吐水装置が備える気液分離手段の第１具体例を示す上面図、図２（ｂ）は、本発明の吐水装置が備える気液分離手段の第１具体例を示すａ−ａ側面断面図である。
図２に表したように、気液分離手段６は通水路３から前記気液分離手段６へ液体を流入させる液体流入口１０と、前記通水路３よりも流路断面積の広い液体流入室１１と、前記液体流入室１１から再び前記通水路３に液体を吐出する液体吐出口１２からなる。さらに、前記液体流入室１１内に、前記液体吐出口１２と前記液体流入口１０とが直接対向しないように遮蔽体２０が設けられている。
【００４７】
定流量弁７の減圧効果により発生した気泡は、液体に分散して混合しており、この液体は通水路３を通って液体流入室１１内で遮蔽体２０に衝突し、液体流入室１１内は攪拌された状態となる。このことより液体流入室１１内で減圧効果により液体中での気泡の生成が促進され、発生した気泡は合致してより大きな気泡形状となる。よって液体吐出口１２から吐水される液体は水層と気体層とが交互に分離した状態となる。よって気泡と水が交互に被処理部位にあたり、刺激のある洗浄感が得られる。この場合は、流路形状は液体流入口１０と液体吐出口１２は同心状にあっても、偏心した状態にあっても気泡と水を分離することができる。
【００４８】
次に、本発明の気液分離手段の第２の具体例について説明する。
図３（ａ）は、本発明の吐水装置が備える気液分離手段の第２具体例を示す上面図であり、図３（ｂ）は、本発明の吐水装置が備える気液分離手段の第２具体例を示すａ−ａ側面断面図である。
図３に表したように、液体吐出口１２と前記液体流入口１０とが直接対向しないように前記液体吐出口１２は前記液体流入口１０に対して偏心して前記液体流入室１１に連通している。なお、吐水時に、液体吐出口１２が液体流入口１０よりも上方になるように偏心して、液体流入室１１に連通させている。
【００４９】
このことにより、液体流入口１０から液体流入室１１内に流入した液体は、液体吐出口１２が液体流入口１０と同心上にないため、液体流入室１１の周壁に衝突した後に液体吐出口１２から吐出される。よって液体流入室１１内の流れに「乱れ」すなわち乱流が発生し、液体流入室１１内はより攪拌された状態となる。このことにより液体流入室１１内で減圧効果により液体中での気泡の生成が促進され、発生した気泡は合致してより大きな気泡形状となる。このため、液体吐出口１２から吐水される液体は水層と気体層とが交互に分離した状態となり、気泡と水が交互に身体部位にあたり、刺激のある洗浄感が得られる。また、液体吐出口１２が液体流入口１０よりも上方になるように偏心して、液体流入室１１に連通させているため、浮力の大きい気泡は液体流入室１１の上部に集中するため液体吐出口１２から吐出しやすく、液体流入室１１内に気泡が滞留することがない。このため常時同じような刺激の得られる、使い勝手の良い吐水装置を提供できる。
【００５０】
次に、本発明の気液分離手段の第３の具体例について説明する。
図４（ａ）は、本発明の吐水装置が備える気液分離手段の第３具体例を示す上面図であり、図４（ｂ）は、本発明の吐水装置が備える気液分離手段の第３具体例を示すａ−ａ側面断面図である。
図４に表したように、略円筒状の液体流入室１１に流入した液体が液体流入室１１内で旋回流を発生するように、液体流入口１０は液体流入室１１の周壁１１Ｗにおいて液体吐出口１２に偏心して設けられ、液体吐出口１２は液体流入室１１内での液体旋回方向に吐出されるように液体流入室１１の周壁に設けた。
【００５１】
液体流入室１１内で旋回流が発生するように液体吐出口１２と液体流入口１０を偏心して設けられているため、液体流入室１１内には遠心力が働き、密度の大きい液体は液体流入室１１周壁へ、密度の小さい気体は液体流入室１１中心へ移動する。このことにより、微細な気泡は液体流入室１１の中心で合致し、気体と液体が分離される。ここで、液体旋回方向に液体が液体流入室１１から吐出されるように液体吐出口１２が設けられているため、液体流入室１１内での旋回流は滞ることなく、液体流入室１１から吐出され、気泡と液体の分離がスムーズに行われる。以上のことから、液体は水層と気体層とが交互に分離した状態となり、気泡と水が交互に被処理部位にあたり、刺激のある洗浄感が得られる。
【００５２】
次に、本発明の気液分離手段の第４の具体例について説明する。
図５（ａ）は、本発明の吐水装置が備える気液分離手段の第４具体例を示す上面図であり、図５（ｂ）は、本発明の吐水装置が備える気液分離手段の第４具体例を示すａ−ａ側面断面図である。
図５に表したように、液体流入室１１の下部は略円筒状、上部は円錐状周壁となっており、液体流入室１１の下部に液体流入口１０が液体流入室１１周壁に設けられ、液体流入室１１上部中心に液体吐出口１２が設けられている。
【００５３】
本発明に係る吐水装置は、図４に示す具体例の説明と同様に液体は液体流入室１１内で旋回し、気層と液層に分離される。また、液体吐出口１２は分離された気体が集まる液体流入室１１の中心に設けられているため、気泡が液体流入室１１に滞留することがなく、分離された、気体、液体の搬送がスムーズに行われる。
【００５４】
次に、本発明の気液分離手段の第５の具体例について説明する。
図６（ａ）は、本発明の吐水装置が備える気液分離手段の第５具体例における止水状態を示す側面断面図であり、図６（ｂ）は、本発明の吐水装置が備える気液分離手段の第５具体例における第一吐水形態を示す側面断面図であり、図６（ｃ）は、本発明の吐水装置が備える気液分離手段の第５具体例における第二吐水形態を示す側面断面図である。
図６に表したように液体流入口１０に偏心して液体流入室１１に連通する液体吐出口１３と液体流入口１０に同心して液体流入室１１に連通する液体吐出口１４と、液体流入室１１内からそれぞれ液体吐出口への流路を切り換える切り替え手段１５とを設けられている。図６に示すように切り替え手段１５を設けたことにより液体流入室内からの吐出の開閉および吐出流路を切り替えることが可能となる。なおここで、液体流入室１１の形状は、略円筒状でも略直方体状でもあるいはその他の形状でもよい。
【００５５】
図６（ａ）は、流路が閉鎖された状態である。このように切り替え手段１５に流路の開閉機能を持たせることで、別途吐水装置の吐水を制御する開閉弁を設ける必要がなくなる。また、図６（ｂ）は、液体吐出口として液体吐出口１４が選択された場合である。この場合は、液体流入室１１内での流れの乱れが起こらないため、液体には減圧効果によって発生した微細な気泡が分散した状態で混入しており、ソフトで、柔らかい感じの吐水感が得られる。また、図６（ｃ）は、液体吐出口として液体吐出口１３が選択された場合である。この場合は、液体流入口１０から流入した液体は液体流入室１１内の周壁に衝突し、液体流入室１１内は攪拌された状態となる。このことより減圧効果により液体中での気泡の生成が促進され、発生した気泡は液体流入室内１１で合致してより大きな気泡形状となる。よって、液体吐出口１３から吐水される液体は水層と気体層とが交互に分離した状態となり、水と気泡が交互に被処理部位にあたり刺激のある吐水となる。また、水と気泡による振動効果により強力な洗浄力が得られる。このことより、切り替え手段１５により流路を切り換えることで使用者の好みにあった吐水形態で液体を吐水することができる。ここで、切り替え手段１５は上記で説明しただけでなく、液体吐出口１３と液体吐出口１４の流路の切り替えが行える、両方を同時に止水する状態に切り換えることが可能であればどのような構成であってもよい。
【００５６】
次に、本発明の気液分離手段の第６の具体例について説明する。
図７（ａ）は、本発明の吐水装置が備える気液分離手段の第６具体例を示す上面図であり、図７（ｂ）は、本発明の吐水装置が備える気液分離手段の第６具体例を示すａ−ａ側面断面図である。
【００５７】
図７に表したように、液体流入室１１に流入した液体が液体流入室１１内で旋回流を発生するように、液体流入口１０は液体流入室１１の周壁において液体吐出口１２に偏心して設けられ、液体吐出口１２は液体流入室１１内での液体旋回方向に吐出されるように液体流入室１１の周壁に設けられ、液体流入室１１に少なくとも１つ以上の突起１６を設けた。
【００５８】
液体流入室１１内で旋回流が発生するように液体吐出口１２と液体流入口１０を偏心して設けられているため、液体流入室１１内には遠心力が働き、密度の大きい液体は液体流入室１１周壁へ、密度の小さい気体は液体流入室１１中心へ移動する。このことにより、微細な気泡は液体流入室１１の中心で合致し、気体と液体が分離される。
ここで、液体流入室１１に突起１６が設けられているため、液体流入室１１内で発生した旋回流が突起に衝突し、突起部分では流れの剥離が起こり局部的に減圧された部位が形成される。よって、より減圧効果が高まり気泡の発生が促進され、気泡と水の分離効率が高まる。以上のことから、液体は水層と気体層とが交互に分離した状態となり、気泡と水が交互に被処理部位にあたり、刺激のある洗浄感が得られる。
【００５９】
次に、本発明の気液分離手段の第７の具体例について説明する。
図８は、本発明の吐水装置が備える気液分離手段の第７具体例を表す要部断面図である。すなわち、同図は、例えば図４（ａ）及び（ｂ）に例示した流入室において形成される旋回流の回転軸に対して垂直な方向の断面図である。
【００６０】
図８に表したように、本具体例においても、液体流入室１１は、その中で旋回流が形成されるように、略円周状の周壁を有する。そして、液体流入口１０と液体吐出口１２は、この周壁に沿った旋回流が形成されるように、その接線方向に対して略平行に形成されている。またさらに、本具体例においては、流入室１１の中に、回転体１７が設けられている。回転体１７は、例えば略球状あるいは略円柱状であり、液体流入室１１のなかで形成される中心軸Ｃの周りの旋回流により同図に矢印で表した方向に回転する。
回転体１７が流入室１１の中で回転すると、流入室１１の中の炭酸水が撹拌され、せん断効果によって減圧効果が増強される。その結果として、気泡の発生が促進され、気体と液体とが分離される気液分離作用が促進される。また同時に、この回転体１７の撹拌作用により、気泡の分断効果も得られる。すなわち、流入室１１の中で過大なサイズの気泡が形成された場合、これを回転体１７の撹拌作用により分断して、適度なサイズの気泡にして流出させることも可能である。
【００６１】
この時、吐水量（流速）と回転体１７の回転数に応じて、液体中の気泡のサイズをコントロールできる。
図９は、回転体１７を設けた場合の吐水量（流量）に対する気泡径の一般的な依存性を概念的に表したグラフ図である。
すなわち、流速が大きい時は、回転体１７の回転数が大きくなるため、一端、発生し合致した気泡が回転体１７によりせん断される回数が多くなる。このため、旋回流や回転体１７が有する撹拌作用による気液分離作用すなわち気泡の生成と合致による気泡径の拡大が飽和される傾向が得られる。回転体１７の回転数は、気液分離手段への流入口径などにより、容易に調節可能である。このため、気液分離手段に回転体１７を設けることより、目的や用途に応じた適度やサイズの気泡を含む発泡水を得ることができる。
【００６２】
回転体１７が生ずる気液分離作用と気泡分断作用のバランスは、流入室１１のサイズ及び形状と、回転体１７のサイズ及び形状とを適宜選択することにより、調節可能である。
【００６３】
また、本具体例における流入室１１の形状や流入口１０及び吐出口１２の配置関係については、図８の具体例に限定されず、例えば、図４、図５及び図７などに関して前述したものをはじめとして各種の構成を同様に採用することができる。すなわち、流入室１１の中で炭酸水の旋回流が形成されれば、回転体１７による撹拌効果を同様に得ることが可能である。
【００６４】
次に、本発明の気液分離手段の第８の具体例について説明する。
図１０は、本発明の吐水装置が備える気液分離手段の第８具体例を表す要部断面図である。すなわち、同図も、例えば図４（ａ）及び（ｂ）に例示した流入室において形成される旋回流の回転軸に対して垂直な方向の断面図である。
【００６５】
図１０に表したように、本具体例においても、炭酸水の流入室１１は、その中で旋回流が形成されるように、略円周状の周壁を有する。そして、炭酸水流入口１０と炭酸水吐出口１２は、この内周壁に沿った旋回流が形成されるように、その接線方向に対して略平行に形成されている。そして、本具体例においては、流入室１１の中に、羽根車状の回転体１８が設けられている。この回転体１８は、流入室１１の中で形成される旋回流により同図に矢印で表した方向に回転する。回転体１８が流入室１１の中で回転すると、前述した第７具体例と同様に、流入室１１の中の炭酸水が撹拌され、せん断効果によって減圧効果が増強される。その結果として、気泡の発生が促進され、気体と液体とが分離される気液分離作用が促進される。また同時に、本具体例の場合も、回転体１８の撹拌作用により、図９に関して前述したような気泡の分断効果も得られる。すなわち、流入室１１の中で過大なサイズの気泡が形成された場合、これを回転体１８の撹拌により気泡を分断して、適度なサイズの気泡にして流出させることも可能である。
【００６６】
本具体例においても、回転体１８が生ずる気液分離作用と気泡分断作用のバランスは、流入室１１のサイズ及び形状と、回転体１８のサイズ、形状、羽根の数などを適宜選択することにより、調節可能である。
【００６７】
また、本具体例においても、流入室１１の形状や流入口１０及び吐出口１２の配置関係については、図１０の具体例に限定されず、例えば、図４、図５及び図７などに関して前述したものをはじめとして各種の構成を同様に採用することができる。すなわち、流入室１１の中で炭酸水の旋回流が形成されれば、回転体１８による撹拌効果を同様に得ることが可能である。
【００６８】
次に、本発明の気液分離手段の第９の具体例について説明する。
図１１は、本発明の吐水装置が備える気液分離手段の第９具体例を表す要部断面図である。すなわち、同図も、例えば図４（ａ）及び（ｂ）に例示した流入室において形成される旋回流の回転軸に対して垂直な方向の断面図である。
【００６９】
図１１に表したように、本具体例においても、炭酸水の流入室１１は、その中で旋回流が形成されるように、略円周状の周壁を有する。そして、炭酸水流入口１０と炭酸水吐出口１２は、この内周壁に沿った旋回流が形成されるように、その接線方向に対して略平行に形成されている。そして、本具体例においては、流入室１１の中に、扇状の回転体１９が設けられている。この回転体１９は、流入室１１の中で形成される旋回流の中心軸Ｃのまわりに、同図に矢印で表した方向に回転する。
回転体１９が流入室１１の中で回転すると、前述した第７及び第８具体例と同様に、流入室１１の中の炭酸水が撹拌され、せん断効果によって減圧効果が増強される。その結果として、気泡の発生が促進され、気体と液体とが分離される気液分離作用が促進される。また同時に、本具体例の場合も、回転体１９の撹拌作用により、図９に関して前述したような気泡の分断効果も得られる。
【００７０】
図１２は、本発明における気液分離手段６の効果を説明するための模式図である。
すなわち、図１２（ａ）に例示した如く炭酸水１１０が気泡を含まない場合には、吐水ノズル８から吐出される水流は、均質であり、着水圧力の時間的な変動はあまりない。従って、炭酸水１１０を噴射する人体の被処理部位２００においても、吐水による物理的な刺激感は、あまり得られない。
これに対して、同図（ｂ）に例示した如く炭酸水１１０が多数の微細気泡１０２を含有する場合には、着水圧力が細かく振動する。例えば、容器１内おいて加圧状態にあった炭酸水が、定流量弁７を通過すると、圧力の低下により、このような多数の微細気泡が分散混入された状態となる。ただし、この状態では、着水圧力の変動はまだ小さい。従って、人体の被処理部位２００において感じる吐水の刺激感もあまり大きくない。
【００７１】
これに対して、気液分離手段６により気泡の生成と合致を促進させて気液分離させると、図１２（ｃ）及び（ｄ）に例示した如く、炭酸水１１０には、微細な気泡１０２とともに、これらが合体して形成された大きな気泡１０４または、さらに大きな気泡１０６が含まれる。その結果として、水流は、気泡と水層とに分離され、着水圧力は、時間とともに大きく変動する。つまり、気泡と水とが交互に足に当たることになり、水と気泡とによる振動効果が得られる。その結果として、被処理部位２００に対して物理的な刺激のあるマッサージ効果や血行促進効果、高い洗浄作用などが得られる。なおここで、「着水圧力」とは、被処理部位２００における水流の圧力をいう。
【００７２】
このように気液分離手段６によって気泡の生成と合致を促進させて適度なサイズの気泡を混入させた気泡流は、例えば、お尻洗浄やビデ洗浄に用いることができるのはもちろんであるが、それ以外にも、例えば、足指や爪の洗浄にも適している。さらにまた、発泡薬剤により炭酸ガスを発生させる場合には、炭酸水による血行促進効果が得られる。炭酸水のｐＨを２〜３に調整すれば、角質除去効果や殺菌効果が得られる。
【００７３】
本発明者の試作検討の結果、例えば、容量が約１２０ミリリットルの容器１に約９０ミリリットルの水を入れ、上記の炭酸水素ナトリウムと果実酸とを配合した発泡薬剤を約５グラム程度、薬剤フォルダー９に収容し、密閉した後に水に溶解させると、内圧を４〜５Ｋｇｆ／ｃｍ２（およそ０．４〜０．５ＭＰａ）程度にまで加圧できることが分かった。
【００７４】
図１３は、圧力と炭酸ガスの溶解量との関係を表すグラフ図である。同図に表したように、圧力を４〜５Ｋｇｆ／ｃｍ２にまで加圧すると、水９０ミリリットルに対しておよそ４００〜５００ミリリットルもの炭酸ガスを溶解させることができる。
本実施例によれば、容器１を密閉した後に発泡薬剤を水に溶解させガスを発生させるので、ガスの散逸による圧力の損失を解消できる。その結果として、高い濃度の炭酸水を生成し吐水させることができる。従って、発泡薬剤を投入して容器１の内圧を高め、液体中への炭酸ガスの溶解量を増加させ、高い濃度の炭酸水を生成することができる。そして、その炭酸水を気液分離手段６により気液分離し、適度なサイズの気泡を混入させた気泡流として噴出させることができる。その結果として、炭酸ガスあるいはその他の混合成分が有する血行促進や洗浄作用、殺菌作用などの各種の効果を大幅に増強することが可能となる。
【００７５】
炭酸ガスの濃度が１０００ｐｐｍ以上の炭酸水は、一般に「炭酸泉」と呼ばれ、人体に対して各種の効果を有することが知られている。これに対して、本発明によれば、炭酸ガスの濃度が３０００ｐｐｍあるいはそれ以上の高濃度の炭酸水を生成させ、気液分離手段６を設けることによって気泡の生成と合致を促進させ、それを気泡流として吐出させることができる。このような高濃度の炭酸水の気泡流は、皮膚直下の血管を拡張させることにより血行を促進させる。また、皮膚の温感（受容器）を刺激し、冷感（受容器）を抑制することにより、暖まり感を与えることもできる。さらにまた、皮膚の角質を除去するピーリング効果や、静菌効果、アストリンゼント効果なども得られる。
【００７６】
次に、本発明の吐水装置に用いることができる発泡薬剤について具体的に説明する。
前述したように、発泡薬剤に例えば炭酸塩と有機酸とを含有させると、液体に投入し溶解して炭酸ガスを発生させることができる。発泡薬剤に使用される炭酸塩と有機酸の具体例を以下に列挙する。
【００７７】
炭酸塩　：ナトリウム、カリウム、リチウム、ルビジウム等のアルカリ金属の炭酸塩又は炭酸水素塩。
有機酸　：クエン酸、酒石酸、コハク酸、フマル酸、リンゴ酸等の有機酸、またはこれらの混合物。酸性リン酸ナトリウムもしくはカリウムを含む他の酸、またはそれらの混合物でも良い。
【００７８】
また一方、発泡薬剤には、その他、ｐＨ調整剤、保湿剤、殺菌剤、香料、消臭剤、界面活性剤、薬効成分剤等を配合させて各種の効果を得ることができる。またこれらの成分は、容器１内に充填する液体に配合してもよい。このような配合成分の具体例を以下に列挙する。
【００７９】
ｐＨ調整剤（対象部位や使用目的に応じたｐＨを得ることができる）：クエン酸およびその塩、リン酸およびその塩、リンゴ酸およびその塩、グルコン酸およびその塩、マレイン酸およびその塩、アスパラギン酸およびその塩、コハク酸およびその塩、グルクロン酸およびその塩、フマル酸およびその塩、グルタミン酸およびその塩、アジピン酸およびその塩、乳酸およびその塩、パントテン酸およびその塩、塩酸、水酸化アルカリ金属等。
【００８０】
保湿剤あるいは湿潤剤（皮膚の角質の水分保持能力を増すことができる）：多価アルコール、乳糖等の糖類及びその誘導体、アミノ酸類及びその誘導体、水溶性高分子、酵母エキス、海草エキス、各種植物エキス、植物油脂類、ロウ類、炭化水素類、脂肪酸類、高級アルコール、エステル類、各種植物精油又はこれらの混合物等。
【００８１】
香料：ターピネオール、リナロール、シトロネロール、シトラール、リモネン、レモングラス油、ラベンダー油等、酢酸イソボニル、酢酸メンタニル、酢酸フレンチル、ボルネオール、メントール、カンファー、精油、松の抽出物、テルピノレン類、パラジクロルベンゼン、ローズ、レモン、ジャスミン、ブーケ調香料、イランイラン油等。
【００８２】
皮膚温冷感付与剤（皮膚に対して温感あるいは冷感を与えることができる）：メントール類、多価アルコール等およびこれらの混合物。
【００８３】
ビタミン作用物質（皮膚などに対してビタミンを与えることができる）：ビタミンＡ類、ビタミンＢ２類、ビタミンＢ６類、ビタミンＨ類等。より具体的には、例えば、酢酸−ｄｌ−α−トコフェロール、ｄｌ−α−トコフェロール、ニコチン酸ベンジルなどを挙げることができる。
【００８４】
界面活性剤（浸透効果、洗浄効果、気泡維持効果などが得られる）：アニオン界面活性剤、ノニオン界面活性剤、カチオン界面活性剤、両性界面活性剤（一分子中に陰陽両イオンの官能基をもつもの）等。
【００８５】
殺菌剤：塩化ベンザルコニウム、塩化ベンゼントコニウム、塩化セチルピリジニウム等。エチルアルコール、メチルアルコール、グリセリン、プロピレングリコール、エチレングリコール等。銅、亜鉛、マグネシウム、ニッケル、銀等を含む無機系抗菌剤、脂肪酸銀等。
【００８６】
消臭剤：過ホウ酸ナトリウム、次亜塩素酸、二酸化マンガン、過マンガン酸塩、ベンゾキノン、ナフトキノン酸等の酸化剤、グリオキザール、アクロレイン等のアルデキド類、ケトン類、１，２−プロピレンオキサイド、１，２−ｎ−プロピレンオキサイド等のエポキシ化合物、メタクリル酸エステル、マレイン酸誘導体等のα、β−不飽和化合物、硫酸銅、硫酸亜鉛等の金属塩、活性炭、シリカゲル、アルミナ等の吸着剤、硫酸鉄、亜鉛化合物、アルミニウム塩、珪酸塩類等の無機塩、クエン酸、アスコルビン酸鉄等の他、各種の植物抽出物、例えば、つばき科植物、緑茶の抽出物等、更に葉緑素の主成分であるクロロフィル、食品分野で利用され得る消臭物質であるジメチルアミノスルホネート、グルコサミン、サイクロデキストリン、有機酸（Ｌ−アスコルビン酸、安息香酸、グルコン酸、葉酸、ニコチン酸）等。
【００８７】
残留塩素除去成分（還元剤）：亜硫酸ナトリウム、亜硫酸カルシウム等の亜硫酸塩やチオ硫酸ナトリウム等のチオ硫酸塩、アスコルビン酸等のビタミンＣ、過酸化水素を発生して脱塩素を行う過炭酸ナトリウム等の過炭酸塩、過硫酸ナトリウム、過硫酸カリウム等の過硫酸塩、他の過酸の塩、過酸化ナトリウム、過酸化亜鉛等の金属過酸化物等。
【００８８】
洗浄成分：エチレングリコールモノエチルエーテル、ジエチレングリコールモノブチルエーテル、トリエチレングリコールモノブチルエーテル、トリプロピレングリコールジメチルエーテル、ポリオキシエチレングリコールモノブチルエーテル等の、低級アルコールにエチレンオキサイド及び／又はプロピレンオキサドを付加したアルキレングリコールルキルエーテル系溶剤等。
【００８９】
痔疾等の疾患に効果的な痔疾薬剤：酢酸ヒドロコルチゾン、酢酸プレドニゾン、塩酸ジフェンヒドラミン、塩酸フェニレフリン等の抗炎症剤、酢酸トコフェロール、ｄｌ−塩酸メチルフェドリン等の血液の循環を助ける薬剤、塩酸リドカイン、塩酸ジブカイン、アミノ安息香酸エチル、ｌ−メントール等の局所の痛み、痒みに効果的な薬剤、アラントイン等の傷口の治りを助ける薬剤等。
【００９０】
ところで、本発明の気液分離手段６を用いた場合、炭酸水の気泡の生成と合致が促進されるので、界面活性剤などを適宜添加することにより、「泡状」の炭酸水を得ることも可能となる。またさらに、炭酸水に与える界面活性剤などの配合を調節すれば、さらにクリーム状の泡も形成可能となる。
【００９１】
図１４は、気液分離手段６によって得られる泡状の炭酸水の作用を説明するための概念図である。
すなわち、炭酸水に界面活性剤などを適宜添加した場合、気液分離手段６において炭酸水の気泡の生成と合致が促進されると、図１４（ａ）に表したように、吐水装置Ｐからクリーム状または泡状の発泡水１１０が得られる。その一部を拡大すると、同図（ｂ）に表したように、多数を大きな気泡１１０Ａを有する。この気泡１１０Ａは、発泡水が含有する気体成分、例えば炭酸ガス（ＣＯ２）である。そして、気泡１１０Ａの周囲は、発泡水の被膜１１０Ｂに覆われている。
【００９２】
図１４（ｃ）は、このようなクリーム状または泡状の発泡水１１０を人体２００に塗布した状態を表す。発泡水をクリーム状または泡状とすることにより、人体２００に長時間、塗布することができる。つまり、発泡水が液体状であると、人体２００の表面で容易に流れてしまうため、接触時間が短くなる場合がある。これに対して、クリーム状または泡状とすれば、流れることはなく、長時間に亘って人体２００に接触させることができる。
【００９３】
そして、発泡水１１０が含有する炭酸ガスなどの気体成分は、発泡水の皮膜１１０Ｂに配合されたその他の各種有効成分とともに、矢印Ｂの如く人体２００に浸透し、所望の作用効果を奏する。本実施例によれば、気泡１１０Ａを構成する炭酸ガスなどの気体成分が、矢印Ａにより例示した如く、その周囲を覆う発泡水の皮膜１１０Ｂに供給される。その結果として、発泡水の皮膜１１０Ｂの気体含有量を高く保ち、矢印Ｂで例示した浸透効果を長時間に亘り持続させることができる。このように、長時間に亘って高濃度の発泡水の皮膜１１０Ｂに人体２００を接触させると、皮膚の角質層が軟化し、矢印Ｂにより例示した有効成分の浸透効果がさらに高まる。
【００９４】
このように泡状またはクリーム状の発泡水を得るために配合する界面活性剤の具体例は、前述した通りである。ラウリル硫酸塩などの食品添加用の界面活性剤を用いれば、人体に対して安全であり、泡の生成効果を効果的に高めることができる。
【００９５】
以下、本発明の吐水装置の他の実施例について説明する。
図１５は、本発明の第２の実施例にかかる吐水装置の断面構造を表す模式図である。
すなわち、本実施例の吐水装置は、容器１と、容器１の口１ａに係合し、容器１と共働して密閉空間を形成する蓋２と、を備えている。容器１には、貯水すべき水位を規定する目盛１′が形成され或いは表示されている。一方、蓋２には、通水路３が形成されている。通水路３の一端は、容器１内の密閉空間に連通可能であり、他端は密閉空間外で開口する。
【００９６】
この吐水装置は、また、通水路３を開閉する開閉弁４と、通水路３の途上に配設された減圧装置７と、気液分離手段６と、を備えている。減圧装置７は、多孔質体、定流量弁、定圧弁等により構成されている。通水路３の蓋２から突出する部分が、吐水ノズル８を構成している。また、気液分離手段６は、例えば、図２乃至図１１に関して前述したような構成を有する。
また、開閉弁４を手動操作するための操作スイッチ５が蓋２に取り付けられている。そして、吐水ノズル８を保護すると共に携帯の際にノズルや蓋２に付着した水が衣類を濡らすのを防止するためのキャップ３０が、蓋２に装着されている。
【００９７】
また、本実施例の吐水装置は、容器１の口１ａに挿入して装着可能な薬剤フォルダー９を備えている。薬剤フォルダー９の囲壁には複数の小穴９ａが形成されている。薬剤フォルダー９の中には、例えば炭酸塩と有機酸とを主成分とする粒状などの発泡薬剤１００が、収納されている。
【００９８】
次に、本実施例の吐水装置の作動を説明する。
図１５に表したように、使用者は、蓋２を容器１から取り外し、薬剤フォルダー９を容器１の口１ａから取り外し、目盛１′の水位まで容器１に注水する。次いで、発泡薬剤１００が収容された薬剤フォルダー９を口１ａに装着する。薬剤フォルダー９の内部空間は、複数の小穴９ａを介して容器１の内部空間に連通する。その後、蓋２を口１ａに係合させることにより、蓋２と容器１とが共働して密閉空間を形成する。密閉空間内には、空気層と液体層とが形成される。なおこの密閉空間は、蓋２と口１ａとの当接部に設けられたＯリングにより保持される。　次に、図１６（ａ）に表したように、使用者は、吐水装置を逆さまにし、若しくは傾けて、蓋２を下方へ差し向け、吐水装置を軽く揺する。密閉空間内の液体が小穴９ａを介して薬剤フォルダー９へ直ちに流入し、発泡薬剤１００と接触する。すると、発泡薬剤１００と液体とが反応して、炭酸ガスが発生する。
【００９９】
このようにして発生した炭酸ガスは、前記密閉空間内の液体に溶解すると共に、前記密閉空間内の空気層に合流して、空気層の圧力を上昇させ、前記密閉空間内の液体を加圧する。
【０１００】
次に、図１６（ｂ）に表したように、発泡薬剤と液体との反応が概ね終了した後、使用者は、逆さまにした状態で吐水装置を手で持ち、キャップ３０を蓋２から取り外し、吐水ノズル８の先端を所望の被処理部位へ差し向ける。
【０１０１】
使用者が、操作スイッチ５を押圧して開閉弁４を開くと、加圧された液体が、薬剤フォルダー９と蓋２との間の隙間を通って通水路３へ流入し、開閉弁４を通過し、減圧装置７に到達する。減圧装置７を通過する際の圧力損失により、減圧した液体中で、溶存していた炭酸ガスが気化して気泡が発生する。つまり、減圧装置７において、まず第１の気液分離作用が得られる。発生した気泡は微細気泡となって、液体中に分散混入する。さらに、このような微細気泡を含有した炭酸水は、気液分離手段６において、さらに気液分離作用を受け、気泡の生成と合致が促進されて、大きな気泡が混入した気泡流が形成される。
【０１０２】
その結果として、多数の気泡が分散混入した液体の気泡流が吐水ノズル８の先端から吐出する。適度に大きな気泡が分散混入された気泡流により、刺激があり且つ柔らな感触の吐水が得られる。また、図１４に関して前述したように、界面活性剤などを適宜添加することにより、気液分離手段６の作用によって、泡状またはクリーム状の炭酸水を得ることも可能である。
【０１０３】
本実施例に係る吐水装置によれば、目盛１′の水位まで容器１に注水し、発泡薬剤１００が収納された薬剤フォルダー９を口１ａに装着することにより、施蓋前の貯留液体と薬剤フォルダー９との接触を防止することができる。そして、容器１を施蓋して密閉空間を形成し、容器１を逆さまにして発泡薬剤１００と液体タンク内の水とを接触させることにより、発泡薬剤１００と液体の反応開始時期を、施蓋による密閉空間の形成後に規制することができる。従って、発生したガスが、施蓋前に散逸するおそれは無い。
よって、溶解速度の速い粉状、粒状あるいは顆粒状などの発泡薬剤を用いることができ、これらを迅速に溶解させて短時間で使用を開始できる。
また、液体の貯留水位を目盛１′の位置に規制することにより、密閉空間内に適正体積の空気層が形成され、密閉空間の内圧が適正化される。この結果、液体吐出圧が過大になり、或いは過少になる事態の発生が防止される。
吐水装置を逆さまにして使用することにより、吐水中に、通水路３の一端を液体面よりも常時下方に位置させることができる。この結果、容器１内の液体を使い切ることができる。蓋２と口１ａとの当接部に配設されたＯリングも、吐水の終了直前まで液体面よりも下方に位置するので、吐水の終了直前まで前記当接部の良好なシール性が確保される。
【０１０４】
薬剤フォルダー９の内部空間は、容器の口１ａに薬剤フォルダー９を装着する際に容器１の内部空間と連通するので、施蓋後に吐水装置を逆さにし或いは傾けると、連通部である多数の小穴９ａを介して薬剤フォルダー９へ液体が直ちに侵入し、発泡薬剤１００が液体に接触して両者の反応が直ちに開始され、密閉空間が直ちに加圧される。そして、加圧された炭酸水などの液体は、通水路３を介して外部に吐出される。
本具体例においては、薬剤フォルダー９に小穴９ａが設けられているので、容器１の中の液体は、図１６（ｂ）に矢印Ｗで表したように、小穴９ａを介して通水路３に送出され、吐出される。つまり、小穴９ａは、液体に発泡薬剤１００を溶解させるための経路であると同時に、溶解して形成された加圧水の吐出経路としての役割も果たす。その結果として、吐水経路を別途設ける必要がなくなるので、吐水装置を小型化できるという利点がある。またさらに、発泡薬剤１００が収納される空間を吐水経路とすることにより、発泡薬剤１００を確実に溶解させ、且つ、僅かに生じうる発泡薬剤１００の残渣などを通水路３を介して外部に排出させることもできる。
通水路３と開閉弁４とが蓋２に配設されているので、容器１を樹脂又は金属で一体成形して吐水装置の耐圧強度を高めることができる。
【０１０５】
本発明においては、発泡薬剤１００の粒径を小さくすると、水に対する溶解速度が上昇し、密閉空間の加圧速度が上昇し、吐水装置の使用直前の待機時間が短縮される。粒径の小さな発泡薬剤１００を使用する場合には、薬剤フォルダー９を金属メッシュで構成するのが望ましい。収納容器の囲壁に多数の微細小穴を形成する手間を省くことができる。発泡薬剤１００の粒径を大きくすると、発泡薬剤１００の取り扱いが容易になると共に、薬剤フォルダー９の囲壁に形成する小穴の径も大きくなるので、小穴の形成が容易になる。この場合には、薬剤フォルダーを樹脂成形するのが望ましい。
【０１０６】
本実施例の吐水装置は、図１６（ｂ）に表したように逆さまにして使用できるので、人体の下半身や足などに向けて使用するのに適している。また、本実施例においては、減圧装置７を設けることにより、炭酸水などの液体がこれを通過する際に減圧作用により多量の微細気泡量を発生させ、これを気液分離手段６に送り込むことにより、気泡の生成をさらに促進できるという効果も得られる。
【０１０７】
図１７は、薬剤フォルダーの他の具体例を表す模式断面図である。
液状の発泡薬剤を使用する場合には、同図（ａ）に表したように、液状の発泡薬剤１００が収納された薬剤フォルダー９′の口を、シール材９ａ′でシールしておき、注水後の容器１の口１ａに薬剤フォルダー９′を装着する際に、シール材９ａ′を剥がせば良い。薬剤フォルダー９′のフランジに小穴９ｂ′を形成しておけば、小穴９ｂ′を介して薬剤フォルダー９′の内部空間と容器１の内部空間とが確実に連通し、吐水装置を逆さまにし若しくは傾けると、発泡薬剤と水とが迅速且つ確実に接触する。加圧液体は、小穴９ｂ′と、薬剤フォルダー９′と蓋２との間の隙間とを通って通水路３へ流入する。
【０１０８】
粉状の発泡薬剤を使用する場合には、図１７（ｂ）に表したように、粉状の発泡薬剤１００が収納された有底筒状の薬剤フォルダー９″のフランジに小穴９ｂ″を形成するとよい。あるいは、図１７（ｃ）に表したように、粉状の発泡薬剤１００が収納された有底筒状の薬剤フォルダー９″の周壁に小穴９ｃ″を形成してもよい。このようにすれば、薬剤フォルダー９″を容器の口１ａに装着する際に、小穴９ｂ″、９ｃ″を介して薬剤フォルダー９″の内部空間と容器１の内部空間とが連通し、吐水装置を逆さまにし若しくは傾けると、発泡薬剤と水とが迅速且つ確実に接触する。加圧液体は、小穴９ｂ″、９ｃ″と、薬剤フォルダー９″と蓋２との間の隙間とを通って通水路３へ流入する。
【０１０９】
図１７（ｃ）に表した薬剤フォルダー９″の場合も、小穴９ｃ″は、液体に発泡薬剤１００を溶解させるための経路であると同時に、溶解して形成された加圧水の吐出経路としての役割も果たす。その結果として、吐水経路を別途設ける必要がなくなるので、吐水装置を小型化できるという利点がある。またさらに、発泡薬剤１００が収納される空間を吐水経路とすることにより、発泡薬剤１００を確実に溶解させ、且つ、僅かに生じうる発泡薬剤１００の残渣などを通水路３を介して外部に排出させることもできる。
次に、本発明の第３実施例に係る吐水装置について説明する。
【０１１０】
図１８は、本発明の第３の実施例の吐水装置の断面を表す模式図である。すなわち、本実施例に係る吐水装置も、容器１の口１ａに挿入して装着可能な、薬剤フォルダー９を備えている。また、Ｏリング５２が薬剤フォルダー９の底部周壁に外嵌している。薬剤フォルダー９の開放端近傍の側壁には、小穴９ａが形成されている。容器１の口１ａに接続する肩部１ｂに、半円環状のストッパー５３が外嵌合している。薬剤フォルダー９の周壁外面と容器の口１ａの周壁内面との間の環状隙間により、肩部１ｂより下方の容器１の内部空間と薬剤フォルダー９の小穴９ａとの間の連通路５４が形成されている。
これらの相違点を除き、本実施例の吐水装置の構造は、前述した第２実施例の吐水装置の構造と同様とすることができる。
【０１１１】
次に、本実施例の吐水装置の作動について説明する。
使用者はまず、蓋２を容器１から取り外し、粒状の発泡薬剤１００が収納された薬剤フォルダー９を容器１の口１ａから取り外し、装着状態の薬剤フォルダー９の底部に達しない水位まで容器１に注水する。
【０１１２】
次いで、薬剤フォルダー９を口１ａに装着する。図１８（ａ）から分かるように、この状態においては、Ｏリング５２が口１ａの周壁内面に当接し、連通路５４を閉じる。
次に、使用者は、蓋２を口１ａに係合させる。蓋２がストッパー５３に当接することにより、蓋２による薬剤フォルダー９の押圧が停止される。この結果、Ｏリング５２が口１ａの周壁内面に当接する状態が維持され、連通路５４が閉じた状態が維持される。蓋２と容器１とが共働して密閉空間を形成する。密閉空間内には、空気層と液体層とが形成される。
【０１１３】
この吐水装置を使用する際には、使用者は、図１８（ｂ）に表したように、ストッパー５３を取り外し、蓋２を容器１の肩部１ｂへ向けて押す。すると、蓋２が、薬剤フォルダー９を押圧して口１ａ内へ押し込む。Ｏリング５２と口１ａの周壁内面との当接状態が解除され、連通路５４が開かれる。
次に、使用者は、吐水装置を逆さまにし、若しくは傾けて、蓋２を下方へ差し向ける。すると、密閉空間内の液体が連通路５４と小穴９ａを介して薬剤フォルダー９へ流入し、発泡薬剤１００と接触する。発泡薬剤１００と液体とが反応して、炭酸ガスが発生する。炭酸ガスは前記密閉空間内の液体に溶解すると共に、前記密閉空間内の空気層に合流して、空気層の圧力を上昇させ、前記密閉空間内の液体を加圧する。
発泡薬剤１００が液体に概ね溶解した後、使用者は、逆さまにした状態で吐水装置を手で持ち、キャップ３０を蓋２から取り外し、吐水ノズル８の先端を所望の処理部位へ差し向ける。使用者は、操作スイッチ５を押圧して開閉弁４を開く。
【０１１４】
すると、加圧された液体が、薬剤フォルダー９と蓋２との間の隙間から通水路３へ流入し、開閉弁４を通過し、減圧装置７に到達する。減圧装置７を通過する際の圧力損失により減圧した液体中で、溶存していた炭酸ガスが気化して気泡が発生する。気泡は微細気泡となって液体中に分散混入する。多数の微細気泡が分散混入した液体は、気液分離手段６に送られ、気液分離作用により気泡の生成と合致が促進されて大きな気泡が形成されて気泡流が吐水ノズル８の先端から吐出する。その結果として、大きな気泡が分散混入された刺激がある吐水が得られる。
【０１１５】
本実施例に係る吐水装置においては、口１ａに装着された状態の薬剤フォルダー９の底部に達しない水位まで容器１に注水し、発泡薬剤１００が収納された薬剤フォルダー９を口１ａに装着し、容器１を施蓋して、密閉空間を形成し、次いで発泡薬剤１００と液体タンク内の液体とを接触させることにより、発泡薬剤１００と液体の反応開始時期を、施蓋による密閉空間の形成後に規制することができる。従って、発生したガスが、施蓋前に散逸するおそれは無い。
【０１１６】
また、容器１に注水し、発泡薬剤１００を入れた薬剤フォルダー９を容器の口１ａに装着し、施蓋して密閉空間を形成し、薬剤フォルダー９の内部空間と容器１の内部空間との間の連通路５４をＯリング５２により閉じ、連通路５４が閉じた状態をストッパー５３により維持しておけば、直ちに使用できる状態の吐水装置を持ち歩くことができる。使用時にはストッパー５３を取り外して連通路５４を開き、容器１を逆さまにすれば、薬剤フォルダー９内の発泡薬剤１００が液体に接触して両者の反応が開始される。
【０１１７】
一方、本実施例に係る吐水装置において、薬剤フォルダー９を容器１の口１ａに装着した後施蓋するのに代えて、蓋２に薬剤フォルダー９の係止部を形成し、薬剤フォルダー９を蓋２に装着した後施蓋するように構成しても良い。
【０１１８】
次に、本発明の第４実施例に係る吐水装置について説明する。
図１９は、本発明の第４の実施例の吐水装置の断面を表す模式図である。
すなわち、本実施例の吐水装置は、容器１の口１ａに載置して装着可能な薬剤フォルダー９を備えている。薬剤フォルダー９の囲壁には複数の小穴９ａが設けられている。発泡薬剤１００は、薬剤フォルダー９に収納されている。蓋２に、薬剤フォルダー９を収容すると共に適正量の空気層を形成するための凹部２′が形成されている。これら相違点を除き、本実施例の吐水装置の構造は、第２実施例の吐水装置の構造と同様である。
【０１１９】
本実施例の吐水装置においても、発泡薬剤１００の液体への溶解の開始時期を、施蓋による密閉空間の形成後に規制することができる。薬剤フォルダー９を口１ａに載置して装着した状態で、薬剤フォルダー９の底部が口１ａの開放端近傍に在るので、容器１に、口１ａの開放端近傍まで注水しても、水位は薬剤フォルダー９の底部に達しない。従って、容器１に満杯状態まで注水することができ、多量の液体を吐出することができる。
【０１２０】
蓋２の凹部２′内に適正量の空気層が形成されるので、密閉空間の内圧が過大になり、液体吐出圧が過大になるおそれは無い。手歩に凹部加圧液体は、薬剤フォルダー９と蓋２との間の隙間を通って通水路３へ流入する。
【０１２１】
そして、気液分離手段６を設けることにより気泡の生成と合致が促進されて、大きな気泡が混入した気泡流が形成される。その結果として、多数の気泡が分散混入した液体の気泡流が吐水ノズル８の先端から吐出する。大きな気泡が分散混入された気泡流により、刺激がある吐水が得られる。また、図１４に関して前述したように、界面活性剤などを適宜配合することにより、気液分離手段６の作用によって、泡状またはクリーム状の炭酸水を得ることも可能である。
【０１２２】
次に、本発明の第５実施例に係る吐水装置について説明する。
図２０は、本発明の第５の実施例の吐水装置の容器部分の断面を表す模式図である。
すなわち、本実施例の吐水装置は、容器１の口１ａに挿入して装着可能な発泡薬剤把持具９を備えている。発泡薬剤把持具９は複数の把持爪９ｂを備えている。発泡薬剤把持具９のフランジに複数の小穴９ａが形成されている。これら相違点を除き、本実施例の吐水装置の構成は、第２実施例の吐水装置の構造と同様とすることができる。
【０１２３】
本実施例の吐水装置においては、把持爪９ｂで塊体状の発泡薬剤１００を把持した発泡薬剤把持具９を、容器１の口１ａに挿入して装着する。容器１を施蓋して密閉空間を形成した後、吐水装置を逆さまにし、若しくは傾けて、発泡薬剤１００と水とを接触させ、両者の反応を開始させる。加圧液体は、小穴９ａと、発泡薬剤把持具９と蓋２との間の隙間とを通って、通水路３へ流入する。
【０１２４】
次に、本発明の第６実施例に係る吐水装置について説明する。
図２１は、本発明の第６の実施例の吐水装置の断面を表す模式図である。
すなわち、本実施例の吐水装置は、蓋２に形成された係合突起２ａに係合可能な係合突起９ｃを有する薬剤フォルダー９を備えている。薬剤フォルダー９の囲壁に多数の小穴９ａが形成されている。粒状の発泡薬剤１００が薬剤フォルダー９に収納されている。蓋２に、吐水装置と同様の凹部２′が形成されている。これら相違点を除き、本実施例の吐水装置の構造は、第２実施例の吐水装置の構造と同様とすることができる。
【０１２５】
本実施例の吐水装置においては、係合突起９ｃを係合突起２ａに係合させて、発泡薬剤１００を収納した薬剤フォルダー９を蓋２に装着する。容器１を施蓋して密閉空間を形成した後、吐水装置を逆さまにし、若しくは傾けて、発泡薬剤１００と水とを接触させ、両者の反応を開始させる。加圧液体は、薬剤フォルダー９と蓋２との間の隙間を通って、通水路３へ流入する。薬剤フォルダー９を蓋２に装着するので、容器１に、満水状態まで注水できる。
薬剤フォルダー９に代えて、第５実施例の発泡薬剤把持具９と同様の塊体状の発泡薬剤を把持した発泡薬剤把持具を、薬剤フォルダー９と同様の態様で、蓋２に装着しても良い。
【０１２６】
次に、本発明の第７実施例に係る吐水装置について説明する。
図２２は、本発明の第７の実施例の吐水装置の断面を表す模式図である。
すなわち、本実施例の吐水装置は、蓋２に形成された複数の把持爪９ｂから成る発泡薬剤把持部９を備えている。発泡薬剤把持部９により塊体状の発泡薬剤１００が把持される。蓋２に、第４実施例の吐水装置と同様の凹部２′が形成されている。発泡薬剤把持部９は、施蓋により、容器１の内部空間に直接対峙する。これら相違点を除き、本実施例の吐水装置の構造は、第２実施例の吐水装置の構造と同様とすることができる。
【０１２７】
本実施例の吐水装置においては、発泡薬剤把持部９に塊体状の発泡薬剤１００を把持させる。容器１を施蓋して密閉空間を形成した後、吐水装置を逆さまにし、若しくは傾けて、発泡薬剤１００と液体とを接触させ、両者の反応を開始させる。発泡薬剤１００を蓋２に装着するので、容器１に、満水状態まで注水できる。発泡薬剤把持部９は施蓋により容器１の内部空間に直接対峙するので、発泡薬剤把持部９に装着された発泡薬剤１００も施蓋により容器１の内部空間、ひいては当該内部空間に貯留された液体に直接対峙する。この結果、発泡薬剤１００と液体との接触により発泡薬剤１００が速やかに液体全体に溶解し、蓋２と容器１とが共働して形成した密閉空間が速やかに加圧される。
【０１２８】
そして、気液分離手段６を設けることにより気泡の生成と合致が促進されて、大きな気泡が混入した気泡流が形成される。その結果として、刺激がある吐水が得られる。また、図１４に関して前述したように、界面活性剤などを適宜配合すると、気液分離手段６の作用によって、泡状またはクリーム状の炭酸水を得ることも可能である。
【０１２９】
次に、本発明の第８実施例に係る吐水装置について説明する。
図２３は、本発明の第８の実施例の吐水装置の断面を表す模式図である。　　すなわち、本実施例の吐水装置は、蓋２に形成された固定爪９ｂと、蓋２に取り付けられた可動爪９ｃとを有する発泡薬剤把持具９を備えている。可動爪９ｃは、蓋２の囲壁を貫通している。可動爪９ｃの蓋２外へ突出した端部に操作ツマミ９ｄが取り付けられている。蓋２に、第４実施例の吐水装置と同様の凹部２′が形成されている。これら相違点を除き、本実施例の吐水装置の構造は、第２実施例の吐水装置の構造と同様とすることができる。
【０１３０】
本実施例の吐水装置においては、発泡薬剤把持具９の固定爪９ｂと可動爪９ｃとに塊体状の発泡薬剤１００を把持させる。容器１を施蓋して密閉空間を形成した後、ツマミ９ｄを外側へ引いて可動爪９ｃを発泡薬剤１００から離脱させる。発泡薬剤１００が容器１内の液体中に落下し、発泡薬剤１００が水に接触し、両者の反応が開始する。容器１を逆さまにしなくても、発泡薬剤″と液体との反応を開始させることができる。
【０１３１】
次に、本発明の第９実施例に係る吐水装置について説明する。
図２４は、本発明の第９の実施例の吐水装置の断面を表す模式図である。
すなわち、本実施例の吐水装置は、容器１の口１ａとは異なる部位に形成された発泡薬剤投入口１ｃと、発泡薬剤投入口１ｃに装着可能な蓋９と、発泡薬剤投入口１ｃを開閉する開閉弁２１とを備えている。蓋９は、薬剤フォルダーを兼ね、また突起９ｂを有する。開閉弁２１は、バネ２１ａにより通常閉状態に付勢されている。これら相違点を除き、本実施例の吐水装置の構造は、第２実施例の吐水装置の構造と同様とすることができる。
【０１３２】
本実施例の吐水装置においては、バネ２１ａの付勢力の下に、開閉弁２１により発泡薬剤投入口１ｃを閉じ、粒状や液状などの発泡薬剤１００を入れた蓋９を発泡薬剤投入口１ｃに螺合装着し、容器１に水を入れ、施蓋して密閉空間を形成しておく。使用時には、蓋９を発泡薬剤投入口１ｃに更に深くまで螺合させる。突起９ｂが開閉弁２１に当接し、バネ２１ａの付勢力に抗して開閉弁２１を駆動し、発泡薬剤投入口１ｃを開く。発泡薬剤１００と液体とが接触し、発泡薬剤１００の溶解が開始する。
【０１３３】
バネ２１ａの付勢力の下に、開閉弁２１により発泡薬剤投入口１ｃを閉じ、粒状や液状などの発泡薬剤１００を入れた蓋９を発泡薬剤投入口１ｃに螺合装着し、容器１に水を入れ、施蓋して密閉空間を形成しておくことにより、直ちに使用可能な吐水装置を持ち歩くことができる。
【０１３４】
そして、気液分離手段６を設けることにより気泡の生成と合致が促進されて気液分離作用が得られ、大きな気泡が混入した気泡流が形成される。その結果として、刺激がある吐水が得られる。また、図１４に関して前述したように、界面活性剤などを適宜配合すると、気液分離手段６の作用によって、泡状またはクリーム状の炭酸水を得ることも可能である。
【０１３５】
図２５は、本実施例の変型例を表す模式図である。同図については、図２４に表したものと同様の要素については、同一の符号を付して詳細な説明は省略する。　本変形例の吐水装置の場合、通水路３の一部は容器１内で延在し、この延在部分は柔軟なチューブ４０を有している。チューブ４０の先端の近傍には、多孔質セラミック、高比重樹脂焼結体等の多孔質体、樹脂焼結体と重量物の結合体、目の細かな金網等で構成された錘４２が取り付けられている。チューブ４０の他端は蓋２に固定され、通水路３の蓋２内で延在する部分に連通している。
このようにすれば、図２５に表したように吐水ノズル８を上にして吐水装置を使用しても、或いは吐水ノズル８を下にして吐水装置を使用しても、或いは吐水ノズル８を横にして吐水装置を使用しても、錘４２が取り付けられたチューブ４０の一端は錘４２に引かれて確実に没水し、吐水ノズル８から確実に気泡流が吐出する。
【０１３６】
後に詳述するように、本変型例の吐水装置は、炭酸ガスなどを含有した発泡水を頭部や顔あるいは上半身などに噴出塗布する用途に適している。この場合は、図２５に表したように、吐水ノズル８を上にして使用できる。
【０１３７】
一方、本変型例の吐水装置は、下半身や足指、爪などに対する使用にも適している。この場合には、吐水ノズル８を下にし、ノズル８先端の吐水口を斜め上方または下方に差し向けて吐水装置を使用することになるが、前述の如く錘４２が取り付けられたチューブ４０の一端は確実に水没するので、吐水ノズル８から確実に気泡流が吐出する。
【０１３８】
これらいずれの場合にも、気液分離手段６により大きな気泡を含有した炭酸水による血行促進効果や洗浄効果などが得られる。また、炭酸水のｐＨを２〜３に調整すれば、角質除去効果や殺菌効果が得られる。
【０１３９】
図２６は、容器１内に延在するチューブの先端付近の変型例を表す模式断面図である。同図に表したように、チューブ４０の先端近傍に取り付けられた錘４２に、浮体４４を取り付けても良い。通水路３を形成するチューブ４０の先端が浮体４４の下側になり確実に没水するので、確実に気泡流を吐水することができる。
【０１４０】
次に、本発明の第１０実施例に係る吐水装置について説明する。
図２７は、本発明の第１０の実施例の吐水装置の断面を表す模式図である。　本実施例の吐水装置は、粉状、粒状、塊状あるいは液体状の発泡薬剤１００を収容した有底筒状の薬剤フォルダー９を、容器１の口１ａに設置可能としている。一方、蓋２には、薬剤フォルダー９の遊動空間Ｓが形成されている。薬剤フォルダー９のフランジ部を口１ａに係合させて薬剤フォルダー９を容器の口１ａに装着し、施蓋して密閉空間を形成した後に薬剤フォルダー９を遊動空間Ｓ内で遊動させて、薬剤フォルダー９の内部空間を容器１の内部空間と連通させても良い。
【０１４１】
図２８は、本実施例の吐水装置の使用方法を説明する模式図である。
施蓋後に吐水装置を逆さにし或いは傾けると、薬剤フォルダー９が液体貯留タンクの口１ａから離れて遊動空間Ｓへ移動する。薬剤フォルダー９のフランジが口１ａから離れることにより、液体が遊動空間Ｓへ流入し、遊動空間Ｓ内で発泡薬剤１００が液体に接触して両者の反応が開始される。施蓋前は、薬剤フォルダー９のフランジが口１ａに当接することにより薬剤フォルダー９は、液体から隔絶されるので、容器１内の液体と発泡薬剤１００との接触が阻止されている。従って、発泡薬剤１００と液体との反応開始時期を確実に施蓋後とすることができる。
【０１４２】
通水路３の容器１内部空間への開口端を遊動空間Ｓの端部や側面に開口させ、または、複数の開口を設けることにより、図２８（ｂ）に表した状態において、通水路３の開口と薬剤フォルダー９との干渉を防ぎ、通水路３の開口が薬剤フォルダー９により塞がれるという問題を回避できる。
【０１４３】
次に、本発明の第１１実施例に係る吐水装置について説明する。
図２９は、本発明の第１１の実施例の吐水装置の断面を表す模式図である。　本実施例の吐水装置は、複数の小穴２２ａが形成され底部内面に爪２２ｂが形成された有底筒状の保持具２２を有する。
使用者は、この保持具２２を容器の口１ａに装着し、粒状、液状あるいは粉状の発泡薬剤１００を収納した密閉容器２９を保持具２２に挿入する。しかる後に蓋２を閉めると、施蓋時に蓋２に形成した突起２ａと爪２２ｂとにより密閉容器２９が挟持破壊され、発泡薬剤１００が液体に投入される。すなわち、施蓋時に密閉空間が形成されると共に密閉容器２９が破壊されて発泡薬剤１００が液体へ投入されて溶解が直ちに開始され、密閉空間が直ちに加圧される。この時、爪２２ｂは、容器１内の液体よりも上に配置されているので、濡れていない。従って、密閉容器２９内に収納された例えば粉状の発泡薬剤１００を、爪２２ｂなどに付着させずに、その自重によって円滑に液体中に投入することができる。つまり、吐水装置を振らなくても、発泡薬剤１００を液体中に投入することが可能である。
【０１４４】
またここで、図２９（ａ）に破線で表したように、密閉容器２９を爪２２ｂから遠ざかる方向へ付勢するバネ２２ｃを、保持具２２内に配設しても良い。このようにすれば、密閉容器２９を保持具２２に挿入する際に、密閉容器２９が誤って爪２２ｂに押し付けられ破壊される事態の発生が防止される。
【０１４５】
そして、気液分離手段６を設けることにより気液分離作用が得られ、大きな気泡が混入した気泡流が形成される。その結果として、刺激がある吐水が得られる。また、図１４に関して前述したように、界面活性剤などを適宜配合すると、気液分離手段６の作用によって、泡状またはクリーム状の炭酸水を得ることも可能である。
【０１４６】
図３０は、本実施例の変型例の吐水装置の断面を表す模式図である。すなわち、本変形例においては、保持具２２の爪２２ｂは、容器１内に設けられた目盛１′よりも下に設けられている。つまり、爪２２ｂは、容器１１内において液体に水没するように配置されている。
このようにすれば、蓋２を施蓋し爪２２ｂにより密閉容器２９が破壊されると同時に、液体が密閉容器２９の内部に侵入し、発泡薬剤１００の溶解が開始される。つまり、施蓋とほぼ同時に発泡薬剤１００の溶解を開始させることができる。またさらに、例えば、発泡薬剤の一部が爪２２ｂにひっかかって、容器１内に落下しないような場合でも、爪２２ｂが水没しているので、その位置で発泡薬剤１００を溶解させることができる。
【０１４７】
図３１は、本実施例における密閉容器の具体例を表す模式断面図である。
すなわち、密閉容器２９は、容器本体２９Ａと、その上部開口を塞ぐ蓋部２９Ｂと、を有する。容器本体２９Ａは、要求される物理的な強度を満たし、発泡薬剤１００との反応性も低い材料により形成することができる。そのような材料としては、例えば、プラスチックを挙げることができ、より具体的には、ポリエチレン、ポリプロピレン、ＰＶＣ、ＰＥＴ、アクリル、ポリスチレン、紙をはじめとする各種の材料を用いることができる。また、容器本体２９Ａが透明であると、内部状態の確認が容易な点で便利である。また、容器本体２９Ａを変形させたり潰したりして内部の発泡薬剤を放出させるような場合には、容器本体２９Ａを変形が容易な材料により形成すればよい。
【０１４８】
一方、蓋部２９Ｂは、使用時に爪２２ｂにより破壊されるようなシール材により形成する。その材料としては、例えば、アルミラミネート、ナイロンフィルム、ポリエチレンフィルム、ポリエステルフィルムなどを挙げることができる。　また一方、蓋部２９Ｂの少なくとも一部を水溶性の材料により形成してもよい。このようにすれば、爪２２ｂにより破壊しなくても、容器１を施蓋後に吐水装置を逆さにしたり振ったりして水に濡らすことによって、蓋部２９Ｂが溶解し、内部の発泡薬剤を水に溶解させることができる。このような水溶性の材料としては、例えば、オブラートのような可食性材料を挙げることができる。また、蓋部２９Ｂを水溶性の材料により形成すると、吐水装置の使用後に蓋部２９Ｂの残渣が容器１の中に残留するのを防ぐことができる。つまり、蓋部２９Ｂの一部が容器１の中に残留すると、通水路３の中に侵入して「詰まり」の原因になったりするおそれがある。これに対して、蓋部２９Ｂを液体に溶解させれば、このような問題を解消できる。
【０１４９】
この場合、蓋部２９Ｂを、酸に対して溶解しやすい材料により形成してもよい。つまり、容器１の中で発泡薬剤１００を溶解させて得られる炭酸水などの液体に対して、蓋部２９Ｂが溶解しやすいようにしておけば、蓋部２９Ｂの残渣が容器１内に残留することを効果的に防ぐことができる。しかもこの場合、蓋部２９Ｂの材料として、水に対しては溶解しにくいものを選択すれば、密閉容器２９の耐湿性も確保できる。
また、本実施例によれば、密閉容器２９が薬剤フォルダーを形成しているので、濡れた手でも薬剤フォルダーを取り扱えるという利点があり、また薬剤フォルダーを多湿環境下でも保管できるという利点がある。
【０１５０】
一方、密閉容器２９の中に収納する発泡薬剤１００は、第１実施例に関して前述したような発泡成分やその他の配合成分を含む。また、その形態としては、紛状、顆粒もしくは流状、塊状、あるいは液体状などのいずれでもよい。発泡薬剤の形態を粉状や顆粒状あるいは液体状とすれば、単一の錠剤とした場合よりも溶解性が高く、直ちにガスを発生して使用を開始できる利点がある。さらに、錠剤状にする場合には、成形のために、のり剤や剥離剤などの添加剤が必要であるのに対して、粉状や液体状の場合には、このような添加剤が不要である点でも有利である。
【０１５１】
一方、発泡薬剤を顆粒状あるいは粒状とした場合には、流径をある程度揃えることにより、発泡成分である酸の粒とアルカリの粒との混合比率を所定値に維持しやすいという利点がある。さらに、粉状の場合と比較して、吸湿性が低くなるため、密閉後の安定性が高く、長期の保存にも耐えうるという利点もある。
【０１５２】
また、密閉容器２９の中に、空気層３００を設けることにより、吐水装置の容器１の中を液体で満水状態にしたような場合でも、容器内に空気層を確保できる点で有利である。すなわち、密閉容器２９内に空気層３００を設けることにより、容器１の内部圧力が必要以上に上昇することを防ぐことができる。
【０１５３】
次に、本発明の第１２実施例に係る吐水装置について説明する。
図３２は、本発明の第１２の実施例の吐水装置の断面を表す模式図である。　本実施例の吐水装置も、第１１実施例の吐水装置と同様に、発泡薬剤１００を収容した密閉容器２９を用いる。但し、本実施例の吐水装置は、上下いずれの向きにおいても吐水が可能な構造を有する。
すなわち、容器１の底部（図３２において下方）に保持具２２が設置されている。使用者はまず、この吐水装置を上下逆さまに持ち、底部の蓋９を開ける。そして、容器１に水などの所定の液体を所定量充填した後、保持具２２の中に密閉容器２９を挿入する。その後、蓋９を閉めると、突起９ｂにより密閉容器２９が押圧され、保持具の爪２２ｂにより破壊されて収容されていた発泡薬剤１００が放出されて液体に溶解する。
しかる後に、使用者は、吐水装置を上下任意の方向に向けて発泡水を吐水させ使用することができる。
【０１５４】
本実施例の吐水装置は、図２５に関して前述したものと同様に、通水路３の一部は容器１内で延在し、この延在部分は柔軟なチューブ４０を有している。チューブ４０の先端の近傍には、多孔質セラミック、高比重樹脂焼結体等の多孔質体、樹脂焼結体と重量物の結合体、目の細かな金網等で構成された錘４２が取り付けられている。チューブ４０の他端は蓋２に固定され、通水路３の蓋２内で延在する部分に連通している。
このようにすれば、吐水ノズル８を上にして吐水装置を使用しても、或いは吐水ノズル８を下にして使用しても、或いは吐水ノズル８を横にして使用しても、錘４２が取り付けられたチューブ４０の一端は錘４２に引かれて確実に没水し、吐水ノズル８から確実に気泡流が吐出する。
【０１５５】
なお、本実施例においては、通常の使用に際しては、容器１の底部の蓋９の開閉により液体の充填や密閉容器２９の脱着が可能である。従って、上方の蓋２は、容器１に対して脱着可能とする必要はなく、容器１と蓋２と一体化させて形成してもよい。
また、図３２に表した吐水装置は一例に過ぎず、例えば、保持具２２や密閉容器２９については、第１１実施例に関して前述した各種の具体例や変型例を同様に採用して同様の作用効果を得ることができる。
【０１５６】
図３３は、本実施例の変型例にかかる吐水装置を表す模式図である。すなわち、本変型例においては、蓋９に爪９ｃが設けられている。図３２に関して前述したものと同様に、使用者は、使用に先立ってまず、この吐水装置を上下逆さまに持ち、蓋９を開けて、所定の液体を充填する。しかる後に、保持具２２に、密閉容器２９を挿入する。この際に、密閉容器の蓋部を蓋９に向けた状態に保持具２２に挿入する。そして、蓋９により施蓋すると、爪９ｃにより密閉容器２９の蓋部が破壊され、発泡薬剤と液体とが混合可能な状態とされる。この後、吐水装置を適宜振るなどして発泡薬剤を液体に溶解させ、容器１内が加圧されたら、吐水を開始できる。
【０１５７】
次に、本発明の第１３の実施例に係る吐水装置について説明する。
図３４は、本発明の第１３の実施例の吐水装置の断面を表す模式図である。　本実施例の吐水装置も、第１１及び第１２実施例の吐水装置と同様に、発泡剤１０を収容した密閉容器２９を用いる。但し、本実施例の吐水装置は、上向きに保持した状態で吐水が可能な構造を有する。
すなわち、本実施例の吐水装置においては、液体貯留タンク１の内部に設けられた保持具２２は、タンク１内の底部近傍にまで延在する給水筒２２ｄを有する。また、保持具２２の周壁には小穴（例えば、図２９における小穴２２ａ）は設けられていない。
密閉容器２９は、保持具２２の中に挿入され、蓋２の施蓋の際に押圧されて爪２２ｂにより破壊され、収容されていた発泡剤が放出され、タンク１内の液体に溶解する。その後、図３４に表したように、蓋２を上方に向けた状態のまま、タンク１内の加圧された液体を矢印Ｗで表したように、給水筒２２ｄを介して蓋２の通水路３に流出させることができる。この際に、密閉容器２９の側面に、スペーサ２９Ｓを適宜設けることにより、密閉容器２９と、その周囲の保持具２２の内壁との間に、流出する液体の通路を確保することができる。
本実施例によれば、いわゆる「上向き吐水」が可能であるため、例えば、人体の頭部や顔あるいは上半身や手などに発泡水を噴出塗布する場合などに用いて便利である。またさらに、液体貯留タンク１において、発泡剤の投入口と液体の吐水口とを共通化させているので、タンク１の構造が簡潔であり、製造コストも低いという利点を有する。本実施例の液体貯留タンク１や保持具２２あるいは密閉容器の容器本体などは、例えば、ポリエチレン・テレフタレート（ＰＥＴ）などの材料を用いて延伸ブロー成形などの手法により形成することができる。
【０１５８】
そして、蓋２に気液分離手段６を設けることにより気液分離作用が得られ、気泡の生成と合致が促進され、大きな気泡が混入した気泡流が形成される。その結果として、刺激がある吐水が得られる。また、図１４に関して前述したように、界面活性剤などを適宜配合することにより、気液分離手段６の作用によって、泡状またはクリーム状の炭酸水を得ることも容易となる。
【０１５９】
図３５は、本実施例の変型例にかかる吐水装置を表す模式図である。すなわち、本変型例においては、密閉容器２９は、その蓋部２９Ｂを上向きにした状態で、保持具２２の保持台２２Ｓの上に保持される。そして、蓋２に爪２ｂが設けられ、矢印Ａの方向に施蓋する際に、爪２ｂが蓋部２９Ｂを破壊し、収納されている発泡剤を溶解可能にする。
蓋２の爪２ｂを、例えば、上方から眺めて略十字型の形状としたり、あるいは、爪２ｂをリング状に形成してその中央に貫通穴を設けたりすることにより、発泡剤と液体との混合を円滑に実現することができる。
【０１６０】
次に、本発明の第１４実施例に係る吐水装置について説明する。
図３６は、本発明の第１４の実施例の吐水装置の断面を表す模式図である。　本実施例の吐水装置Ｍにおいては、上方が開放された縦長有底筒状の薬剤フォルダー３９を用いる。そして、図３６（ａ）に表したように、容器１に所定の液体を充填した後、粒状、粉状あるいは液体状の発泡薬剤１００を収納した薬剤フォルダー３９を容器１へ挿入して液体に浮かばせる。その後、施蓋し、図３６（ｂ）に表したように、吐水装置を逆さまにし或いは傾けて、発泡薬剤１００を液体に投入する。両者の反応が直ちに開始され、密閉空間が直ちに加圧される。
【０１６１】
図３６（ａ）に表したように、容器１への挿入浮遊時に、薬剤フォルダー３９の開放端が容器１の口１ａに当接するようにすれば、略直立して浮遊させることも可能である。本実施例の場合、薬剤フォルダー３９は、口１ａに装着するためのフランジ部を有さないので、突起部が無く持ち運びに便利である。
【０１６２】
図３７は、本実施例の変型例を表す模式図である。
すなわち、本変型例の吐水装置においては、同図（ａ）に表したように、薬剤フォルダー３９の開放端が容器１内において、その規定水位１′よりも高くなるように形成されている。そして、薬剤フォルダー３９は、容器１の中において、充填された液体に浮かばず、容器１の底に当接して配置される。
使用時には、図３７（ｂ）に表したように、吐水装置を上下逆さまにし、薬剤フォルダー３９の中の発泡薬剤を容器１内の液体に溶解させることにより、加圧発泡水を吐水させることができる。この時、例えば、図３７（ｂ）に例示した如く、通水路３の取水口を蓋２の周壁あるいは端部などに設けることにより、薬剤フォルダー３９との干渉を避けることができる。つまり、収納容器３９により、通水路３の取水口が塞がれるという問題を回避できる。
【０１６３】
また、本変形例において、図３８（ａ）に例示した如く、薬剤フォルダー３９の上部開放端を斜めにカットすると、図３８（ｂ）に表したように、吐水装置を上下逆さまにした時に、発泡薬剤１００の溶解経路や、通水路３への流出経路を確保することが容易となる。
【０１６４】
または、本変型例において、図３９（ａ）に例示した如く、薬剤フォルダー３９の上部側壁に開口３９ａを設ければ、やはり図３９（ｂ）に表したように、吐水装置を上下逆さまにした時に、発泡薬剤１００の溶解経路や、通水路３への流出経路を確保することが容易となる。
【０１６５】
図３７乃至図３９に表した変型例は、大量の発泡薬剤を投入する場合などに有利である。そして、これら変型例においても、気液分離手段６を設けることにより気液分離作用が得られ、大きな気泡が混入した気泡流が形成される。大量の発泡剤を投入して高濃度の炭酸水を生成した場合には、大量の気泡を生成させた気泡流を吐水ノズル８の先端から吐出させることができる。また、図１４に関して前述したように、界面活性剤などを適宜配合すると、気液分離手段６の作用によって、泡状またはクリーム状の炭酸水を得ることも可能である。
【０１６６】
次に、本発明の第１５の実施例に係る吐水装置について説明する。
図４０は、本発明の第１５実施例の吐水装置の断面を表す模式図である。
本実施例の吐水装置の場合、容器１内の口１ａ近傍部に、有底筒状の薬剤フォルダー保持部１ｂが一体形成あるいは後付け等により配設されている。使用者は、容器１に水を入れた後、粒状、粉状、あるいは液体の発泡薬剤１００を収納した棒状袋状の薬剤フォルダー４９の端部を破き、当該端部を上方へ差し向けた薬剤フォルダー４９を薬剤フォルダー保持部１ｂに保持させる。その後、施蓋して密閉空間を形成し、図４０（ｂ）に表したように、容器を逆さまにし、若しくは傾ければ、発泡薬剤１００が袋４９からこぼれ出し、液体に接触して両者の反応が直ちに開始される。
また、本実施例において、薬剤フォルダー４９を用いる代わりに、粒状、粉状、顆粒状、塊状、あるいは錠剤状の発泡薬剤を保持部１ｂに直接、保持してもよい。
【０１６７】
次に、本発明の第１６の実施例に係る吐水装置について説明する。
図４１は、本発明の第１６実施例の吐水装置の断面を表す模式図である。
本実施例の吐水装置の場合、吐水ノズル８は、突起８ａと、その先端に設けられた開口８ｂとを有する。この開口８ｂが通水路３の開放端となり、発泡水が吐出される。
【０１６８】
このように突起の先端から発泡水を吐出させると、突起の周囲の外気を巻き込みながら吐水され、微細な液滴からなるミスト状の吐水を得ることが容易となる。すなわち、発泡水をスプレー状に噴霧できる。開口８ｂの径を小さくすると、吐水される速度が大きくなり、外気の巻き込みが生じやすくなる。本発明者の検討の結果、開口８ｂの径を例えば０．１ｍｍ乃至０．４ｍｍ程度とすると、ミスト状の吐水が安定して得られた。
【０１６９】
そして、本発明によれば、気液分離手段６により気泡の生成と合致が促進され、図１２に関して前述したように、大きな気泡を含有した発泡水が形成される。このような発泡水を開口８ｂから吐出させると、液層と空気層が交互に吐出されるため、ミストをパルス状に噴霧させることも可能となる。ミストをパルス状に噴霧させると、より微細な液滴が得られたり、また、スプレー吐水でありながら、適度な刺激が得られるという効果が生ずる。従って、例えば、顔やボディケアのための炭酸水の吐水に際して、ソフトなマッサージ効果が得られ、また同時にミスト状に噴霧させるので、均一で適量の噴霧が容易となる。従って、皮膚の表面での「水たれ」などが嫌われる場合に用いて特に効果的である。
【０１７０】
なお、図４１には、第２実施例と類似した構成の吐水装置に突起８ａ及び開口８ｂを設けた具体例を表したが本発明はこれには限定されない。すなわち、本実施例における突起８ａ及び開口８ｂは、本発明が包含する全ての吐水装置に設けて、同様にミスト状の吐水を形成することができる。
【０１７１】
また、ミスト状の吐水を得るための吐水部の構造についても、図４１に例示したもの以外の公知のものを用いて同様の作用効果が得られる。例えば、吐水部として、吐水口となる開口を設けた板状部材を用いることができる。この場合、その部材を吐水側から見て反対側の主面上において、複数の溝を開口に向けて集束するように渦巻き状に設けると、ミスト状の吐水を容易に得ることができる。
【０１７２】
次に、本発明の第１７の実施例として、頭髪や頭皮などに発泡水を適用するために用いて特に好適な吐水装置について説明する。
図４２は、本実施例の吐水装置の吐水ヘッドを例示する斜視図である。吐水装置の本体としては、第１乃至第１６実施例に関して前述したいずれのものを用いることも可能である。
すなわち、前述した吐水装置の吐水ノズルの先端に、図４２（ａ）及び（ｂ）に例示したような吐水ヘッド８０を設けることができる。吐水ヘッド８０の先端部には吐水口８０ｄが設けられ、さらにその近傍に、円錐状、ブラシ状その他任意の形態の複数の可撓性突起体８０ｅが設けられている。
また、吐水口８０ｄを可撓性突起体８０ｅの先端に配設しても良い。本発明の吐水装置を用いて頭部に発泡水を吐出させる場合、可撓性突起体８０ｅにより頭皮が刺激され頭皮の血行が促進される。吐水口８０ｄを可撓性突起体８０ｅの先端に配設すると、吐水口８０ｄが頭皮に接近する。その結果として、気液分離手段６により気泡の生成と合致が促進された気泡流による刺激がさらに増加し、発泡水による血行促進やマッサージ効果が高まると同時に、使用者の快適感が増加する。
【０１７３】
ここで、発泡成分の他に、いわゆるヘアケア用として、発泡薬剤あるいは液体の少なくともいずれかに添加することができる成分の一例を以下に列挙する。
【０１７４】
殺菌、防腐剤：安息香酸およびその塩類、イソプロピルメチルフエノール、ウンデシレン酸およびその塩類、ウンデシレン酸モノエタノールアミド、塩化ベンザルコニウム、塩化ベンゼトニウム、塩化アルキルジアミノエチルグリシン、塩酸クロルヘキシジン、オルトフェニルフェノール、グルコン酸クロルヘキシジン、クレゾール、クロラミンＴ、クロルキシレノール、クロルクレゾール、クロルフェネシン、クロロブタノール、サリチル酸およびその塩類、臭化アルキルイソキノリニウム、臭化ドミフェン、ソルビン酸およびその塩類、チモール、チラム、デヒドロ酢酸およぴその塩類、トリクロサン、トリクロロカルバニリド、バラオキシ安息香酸エステル、バラクロルフェノール、ハロカルバン、フェノール．ヘキサクロロフェン、ラウロイルサルコシンナトリウム、レゾルシンなど。
【０１７５】
紫外線吸収剤：オキシベンゾン、サリチル酸フェニル、シノキサート、パラアミノ安息香酸エステル、２−（２−ヒドロキシー５−メチルフェニル）−ペンゾトリアゾールなど。
【０１７６】
ホルモン類：各種ホルモン。
酸化防止剤：カテコール、ジブチルヒドロキシトルエン、ピロガロ−ル、ブチルヒドロキシアニソール、没食子酸プロピルなど。
ビタミン類：酢酸−ｄｌ−α−トコフェロール、ｄｌ−α−トコフェロール、ニコチン酸ベンジルなど。
抗ヒスタミン剤、消炎剤：塩酸ジフェンヒドラミン、グアイアズレン、グアイアズレンスルホン酸ナトリウムなど。
毛根刺激剤：カンタリスチンキ、ショウキョウチンキ、トウガラシチンキ、ノニル酸バニリルアミドなど。
【０１７７】
収斂剤：イクタモール、パラフェノールスルホン酸亜鉛など。
酵素類：塩化リゾチウムなど。
多価アルコール類、保湿剤：プロピレングリコール、ポリエチレングリコールなど。
金属イオン封鎖剤：エデト酸およびその塩類など。
アニオン界面活性剤：セチル硫酸ナトリウム、直鎖型アルキルベンゼンスルホン酸ナトリウム、ポリオキシエチレン、ラウリルエーテル硫酸塩類、ラウリル硫酸塩類など。
カチオン界面活性剤：塩化アルキルトリメチルアンモニウム、塩化ジステアリルジメチルベンジルアンモニウム、塩化ステアリルジメチルベンジルアンモニウム、塩化ステアリルトリメチルアンモニウム、塩化セチルトリメチルアンモニウム、塩化セチルピリジニウム、塩化ラウリルトリメチルアンニウム、臭化セチルトリメチルアンモニウムなど。
【０１７８】
アルカリ剤：ジイソプロパノールアミン、ジエタノールアミン、トリイソプロパノールアミン、トリエタノールアミンなど。
ロウ、高分子化合物、ゴム質：セラミック、天然ゴムラテックス、トラガントロジンなど。
油　分　ｏｉｌ　ｃｏｍｐｏｎｅｎｔｓ：酢酸ポリオキシエチレンラノリンアルコール、酢酸ラノリン、酢酸ラノリンアルコール、ステアリルアルコール、セタノール、セトステアリルアルコール、ベンジルアルコール、ポリオキシエチレンラノリン、ポリオキシエチレンラノリンアルコール、ミリスチン酸イソプロピル、ラノリン、液状ラノリン、還元ラノリン、硬質ラノリン、ラノリンアルコール．水素添加ラノリンアルコール、ラノリン脂肪酸イソプロピル、ラノリン脂肪酸ポリエチレングリコールなど。
その他、赤色２号、黄色２０１号など各種の色素を配合してもよい。
【０１７９】
図４３は、人体の頭部などに用いて好適な吐水装置の具体例を表す模式断面図である。すなわち、この吐水装置は、容器１と、その口１ａに係合して容器１を密閉する蓋２と、を備えている。蓋２には、一端が容器１に連通し、他端が容器１外で開口する通水路３が形成されている。通水路３の経路には、減圧装置７と、気液分離手段６と、流路３を開閉する開閉弁４と、開閉弁４と連動する操作スイッチ５と、が設けられている。操作スイッチ５は、バネ５ｓによって矢印Ａとは反対方向に付勢されている。また、操作スイッチ５の上面には、複数の可撓性突起体５ａが設けられ、さらにその周囲に吐水口５ｂが開口されている。
【０１８０】
本具体例の吐水装置は、その吐水口５ｂを鉛直下方に向けて使用するのに適している。例えば、ヘアケア用の発泡水を頭髪または頭皮に適用する場合などに、使用者は、吐水装置を逆さに持ち、その操作スイッチ５を頭部に押しつける。すると、スイッチ５が矢印Ａの方向に押圧され、開閉弁４が開いて、吐水口から発泡水が噴出する。この際に、スイッチ５の上面に設けられた可撓性突起体７ａが頭皮を圧迫刺激する。従って、気液分離手段６により気泡の生成と合致が促進された炭酸水の気泡流による血行促進効果やマッサージ効果などがさらに増強される。
【０１８１】
図４４は、本実施例のさらに他の具体例を表す模式図である。すなわち、同図（ａ）に表した吐水装置は、容器８１と蓋８２とを有する。蓋８２には、操作スイッチ８５が設けられ、さらに、上方に延在したヘッド８８が設けられている。ヘッド８８には、ブラシ状に複数の可撓性突起体８８ｅが設けられている。これら可撓性突起体８８ｅの周辺には、吐水口８８ｄが設けられている。
【０１８２】
使用者は、可撓性突起体８８ｅを頭髪や頭皮に対してブラシの如く用いながら、操作スイッチ８５を押圧することにより、吐水口８８ｄから発泡水を噴出させることができる。この場合も、可撓性突起体８８ｅが頭皮を圧迫刺激し、気液分離手段６により気泡の生成と合致が促進された炭酸水の気泡流による血行促進効果やマッサージ効果などが増強される。
【０１８３】
また、図４４（ｂ）に表したように、吐水口８８ｄを可撓性突起体８８ｅの先端に設けると、吐水口が頭皮に接近するので、気泡流をより直接的に頭皮に適用させ、使用者の快適感が増加する。またさらに、図１４に関して前述したように、界面活性剤などを適宜配合すると、気液分離手段６の発泡作用によって炭酸水が泡状あるいはクリーム状に形成されるような場合にも、吐水口８８ｄを頭皮に接近させることにより、確実にこれら泡状またはクリーム状の炭酸水を頭皮に塗布することができる。
【０１８４】
なお、本実施例において、図２５や図３３に表した具体例のように、通水路３の一部を容器１内で延在する柔軟なチューブ４０とし、その先端の近傍に、多孔質セラミック、高比重樹脂焼結体等の多孔質体、樹脂焼結体と重量物の結合体、目の細かな金網等で構成された錘４２を設けてもよい。このようにすれば、吐水口が上向きの状態でも横向きの状態でも下向きの状態でも、気泡流を確実に吐出させることが可能となる。
【０１８５】
次に、本発明の第１８の実施例として、口腔内の使用に特に適した吐水装置について説明する。
図４５は、本実施例の吐水装置を表す模式図である。すなわち、同図（ａ）はその全体図、同図（ｂ）は矢印Ａからみた一部拡大図である。
本実施例の吐水装置も、容器９１と蓋９２とを備える。蓋９２には、操作スイッチ９５が設けられ、さらに、上方に延在したヘッド９８が設けられている。ヘッド９８の先端には、発泡水を吐出する吐水口９８ｄが設けられている。容器９１及び蓋９２の内部の具体的に構造としては、第１乃至第１６実施例に関して前述した各種のものを採用することができる。なお、同図に表した具体例においては複数の吐水口９８ｄが設けられているが、本発明はこれに限定されるものではなく、ヘッド９８の先端に単一の吐水口９８ｄを設けてもよい。
【０１８６】
使用者は、ヘッド９８の先端部を口腔内の所望の位置に配置し、操作スイッチ９５を押圧することにより、吐水口９８ｄから発泡水を噴出させることができる。気液分離手段６の作用によって生成された気泡が含有する炭酸ガス及びその他の有効成分により、歯茎や口腔内壁の血行促進、虫歯に対する静菌作用、歯垢の分解除去、歯槽膿漏や口臭の予防・除去などの効果が得られる。
【０１８７】
本実施例においては、発泡成分の他に、容器９１に投入する発泡薬剤または液体の少なくともいずれかに以下の薬剤を配合することができる。
【０１８８】
虫歯の予防を目的として、例えば、殺菌剤や各種のフッ化物など。
歯槽膿漏や歯肉炎の予防を目的として、例えば、デキストラナーゼ、ムタナーゼ、ムタステインなどの酵素剤や、塩化リゾチーム、トラネキサム酸、アズノール、アラントイン、カミツレチンキ、ラタニアチンキ、ミルラチンキなどの抗炎症剤など。
口腔の洗浄や消毒、口臭除去を目的として、例えば、グルコン酸クロルヘキシジンなどの殺菌剤や、ポリオキシエチレン硬化ヒマシ油、ラウリル硫酸ナトリウム、エチルアルコールなどの溶解補助剤など、
湿潤剤（保湿剤）として、例えば、グリセリン、ソルビトール、ポリエチレングリコール、プロピレングリコールなど。
【０１８９】
次に、本発明の第１９の実施例として、いわゆる「エアゾール缶」タイプの吐水装置について説明する。
図４６は、本実施例の吐水装置の断面構造を例示する模式図である。
すなわち、本実施例においては、容器１と蓋２とが固定的あるいは半固定的に封止され、その中に炭酸水が加圧された状態で充填されている。または、容器１と蓋２とが明瞭に区別されず、これらが一体となった密閉タンクを用いてもよい。使用者は、開閉弁４を開けることにより、直ちにノズル８から炭酸水を吐出させ使用することができる。このような使い切り型の「エアゾール缶」の場合、使用者が水や発泡薬剤を充填することにより再使用することはできないが、これら充填の手間を省いて、手軽に炭酸水を吐出させることができる点で便利である。
【０１９０】
そして、本発明によれば、気液分離手段６を設けることにより、図１２に関して前述したように炭酸水に気泡を適度に混入させ、その結果として、吐水の刺激感が高く、マッサージ効果や結構促進効果、あるいは洗浄効果を促進させることができる。また、気液分離手段６を設けることにより、図１４に関して前述したように、界面活性剤などを適宜配合すると、泡状またはクリーム状の炭酸水を得ることもでき、炭酸ガスの効果が長時間にわたって持続させることが可能となる。
【０１９１】
気液分離手段６を設けることにより、炭酸水に気泡を混入させ、その結果として、気泡を混入させない場合よりも少ない吐水量で、高いマッサージ効果や血行促進効果、洗浄効果などを得ることが可能となる。つまり、炭酸水の使用量を抑えることができるので、長時間使用することができる。この効果は、エアゾール缶のような使い切り型の吐水装置の場合に、特に有利である。
【０１９２】
次に、本発明の第２０の実施例として、ガスボンベにより加圧して炭酸水を生成する吐水装置について説明する。
図４７は、本実施例の吐水装置の断面構造を例示する模式図である。
すなわち、本実施例においては、発泡薬剤の代わりに炭酸ガスを充填したボンベ７０を用いて炭酸水を生成する。ガスボンベ７０は、ボンベ本体７１と蓋７２とにより封止された密閉空間を有し、この中に、炭酸ガスなどの所定のガスが充填されている。蓋７２には、バルブ７４が設けられ、バネ７６によって、閉状態に付勢されている。
【０１９３】
一方、吐水装置の本体においては、容器１の底部に接続口１ｃが設けられ、バルブ２１により常時閉状態に維持されている。炭酸水の生成に際しては、使用者は、ガスボンベ７０を吐水装置の接続口１ｃに結合する。これらを結合すると、ガスボンベ７０のバルブトップ７８と、接続口１ｃのバルブトップ２１ａとが互いに後退して、これらバルブが開状態となる。このようにして、吐水装置の容器１に充填した水をガスボンベ７０の炭酸ガスにより加圧して炭酸水を生成できる。炭酸水を使い切ったら、容器１内に再び水を充填し、炭酸ガスが充填されたガスボンベ７０を接続することにより、再び使用することができる。
【０１９４】
そして、本発明によれば、気液分離手段６を設けることにより、図１２に関して前述したように炭酸水に気泡を適度に混入させ、その結果として、吐水の刺激感が高く、マッサージ効果や結構促進効果、あるいは洗浄効果を促進させることができる。また、気液分離手段６を設けることにより、図１４に関して前述したように、界面活性剤などを適宜配合すると、泡状またはクリーム状の炭酸水を得ることもでき、炭酸ガスの効果が長時間にわたって持続させることが可能となる。
【０１９５】
最後に、本発明の第２１の実施例として、本発明の吐水装置を用いたフェイスケアあるいはボディケアの方法の一例を紹介する。
図１３に関して前述したように、本発明においては、発泡薬剤を投入して容器１の内圧を高め、液体中への炭酸ガスの溶解量を増加させ、高い濃度の炭酸水を吐出させることができる。その結果として、炭酸ガスなどの有効成分を高い濃度で含んだ発泡水を長時間に亘って吐出させることができる。例えば、炭酸ガスを発生させる場合には、本発明の吐水装置によれば、炭酸泉の濃度である１０００ｐｐｍを超え、３０００ｐｐｍ以上の炭酸水を吐出させることも可能である。
【０１９６】
そして、本発明によれば、気液分離手段６を設けることより、図１２に関して前述したように、このような高濃度の炭酸水において気泡の生成と合致を促進させ、適度に気泡が混入された気泡流を形成し、物理的な振動による刺激を被処理部位に与えることができる。また、図１４に関して前述したように、界面活性剤などを適宜配合すると、泡状またはクリーム状の炭酸水を得ることも可能となる。
【０１９７】
このような高濃度の炭酸ガスを含有する気泡流、泡状またはクリーム状の炭酸水は、血管拡張作用による血行促進効果が著しい。従って、温熱効果が得られ、冷え性などを低減できる。さらにまた、各種の薬効成分を配合した場合の浸透効果も高い。一方、高濃度の炭酸水は、皮膚のターンオーバーを促進し、美白効果や皺の低減除去にも効果を有する。
【０１９８】
また、高濃度の炭酸水は、酸性水であるため、皮膚の角質を除去するピーリング効果も得られ、同時に、静菌作用やアストリンゼント効果も得られる。気液分離手段６により多数の気泡を含有させることにより、これら効果が促進される。このような発泡水または泡状あるいはクリーム状の炭酸水は、顔や手足あるいはその他の身体の部位に直接的に噴射してもよく、または、天然パルプやコットンなどの素材からなるパック材にしみ込ませて所定の部位にあてがうように用いてもよい。
【０１９９】
本発明の吐水装置を用いて、主に美容効果を目的とした気泡流あるいは泡状、クリーム状の炭酸水を形成する場合には、発泡成分の他に、容器１に投入する発泡薬剤または液体の少なくともいずれかに以下の薬剤を配合することができる。
【０２００】
洗浄剤あるいは界面活性剤：アニオン界面活性剤としては、例えば、石鹸、アルキルベンゼンスルホン酸、Ｎ−アシルグルタミン酸塩など。カチオン界面活性剤としては、例えば、塩化ベンザルコニウム、塩化ジステアリルジメチルアンモニウムなど。両性界面活性剤としては、例えば、塩酸アルキルジアミノエチルグリシン、ラウリルジメチルアミノ酢酸ベタインなど。
収斂剤（発汗を抑制することができる）：クエン酸、酒石酸、乳酸などのアニオン系収斂剤。アルミニウム塩などのカチオン系収斂剤。エタノールなどの非イオン系収斂剤。
湿潤剤（保湿剤）：グリセリン、コラーゲン、ヒアルロン酸、エラスチン、ポリエチレングリコール、プロピレングリコール、ソルビトール、１、３−ブチレングリコール、ｄｌ−ピロリドンカルボン酸、乳酸ナトリウム、尿素、尿酸、ヒロリドンカルボン酸ナトリウム、レシチン、ヘパリノイドなど。
【０２０１】
以上具体例を参照しつつ本発明の実施の形態について説明した。しかし、本発明は、これらの具体例に限定されるものではない。
すなわち、本発明の吐水装置を構成する要素について当業者が設計変更を加えたものであっても、本発明の要旨を備えたものであれば、本発明の範囲に包含される。
【０２０２】
例えば、第１乃至第２１実施例として前述した各具体例が有する要素のいずれかを適宜抽出し、新たなに組み合わせたものも本発明の範囲に包含される。
また、本発明は薬剤を投入して容器内を加圧し、加圧水を吐水する吐水装置に関し記載したが、その効果は密閉容器にあらかじめガスを充填した容器から加圧水を吐水するものに関しても同様な効果が得られることはいうまでもない。
【０２０３】
また、減圧装置７としては、ゴムなどの弾性体を用いたもの、ダイアフラムを用いたもの、バネを用いたもの、多孔質を用いたものなど、当業者が減圧手段として採用しうる全てのものを包含する。
【０２０４】
【発明の効果】
以上詳述したように、本発明によれば、気液分離手段を設けることによって、炭酸水などの加圧液体中に気泡を発生させ、簡単な機構によって加圧液体中に含まれる気泡径を制御することができる。この結果として、刺激があり、血行促進効果や、洗浄感、洗浄力が向上し、炭酸ガスなどによる各種の効果を高めることができる吐水装置を提供することができる。
【図面の簡単な説明】
【図１】本発明吐水装置の第１の実施例を示す概念図である。
【図２】本発明吐水装置が備える気液分離手段の第１具体例を示す上面図および断面図である。
【図３】本発明吐水装置が備える気液分離手段の第２具体例を示す上面図および断面図である。
【図４】本発明吐水装置が備える気液分離手段の第３具体例を示す上面図および断面図である。
【図５】本発明吐水装置が備える気液分離手段の第４具体例を示す上面図および断面図である。
【図６】本発明吐水装置が備える気液分離手段の第５具体例を示す断面図である。
【図７】本発明吐水装置が備える気液分離手段の第６具体例を示す上面図および断面図である。
【図８】本発明の吐水装置が備える気液分離手段の第７具体例を表す要部断面図である。
【図９】回転体１７を設けた場合の吐水量（流量）に対する気泡径の一般的な依存性を概念的に表したグラフ図である。
【図１０】本発明の吐水装置が備える気液分離手段の第８具体例を表す要部断面図である。
【図１１】本発明の吐水装置が備える気液分離手段の第９具体例を表す要部断面図である。
【図１２】本発明における気液分離手段６の効果を説明するための模式図である。
【図１３】圧力と炭酸ガスの溶解量との関係を表すグラフ図である。
【図１４】気液分離手段６によって得られる泡状の炭酸水の作用を説明するための概念図である。
【図１５】本発明の第２の実施例にかかる吐水装置の断面構造を表す模式図である。
【図１６】第２実施例の吐水装置の使用方法を説明するための模式図である。
【図１７】薬剤フォルダーの他の具体例を表す模式断面図である。
【図１８】本発明の第３の実施例の吐水装置の断面を表す模式図である。
【図１９】本発明の第４の実施例の吐水装置の断面を表す模式図である。
【図２０】本発明の第５の実施例の吐水装置の断面を表す模式図である。
【図２１】本発明の第６の実施例の吐水装置の断面を表す模式図である。
【図２２】本発明の第７の実施例の吐水装置の断面を表す模式図である。
【図２３】本発明の第８の実施例の吐水装置の断面を表す模式図である。
【図２４】本発明の第９の実施例の吐水装置の断面を表す模式図である。
【図２５】第９実施例の変型例を表す模式図である。
【図２６】容器１内に延在するチューブの先端付近の変型例を表す模式断面図である。
【図２７】本発明の第１０の実施例の吐水装置の断面を表す模式図である。
【図２８】第１０実施例の吐水装置の使用方法を説明する模式図である。
【図２９】本発明の第１１の実施例の吐水装置の断面を表す模式図である。
【図３０】第１１実施例の変型例の吐水装置の断面を表す模式図である。
【図３１】第１１実施例における密閉容器の具体例を表す模式断面図である。
【図３２】本発明の第１２実施例の吐水装置の断面を表す模式図である。
【図３３】第１２実施例の変型例の吐水装置の断面を表す模式図である。
【図３４】本発明の第１３の実施例の吐水装置の断面を表す模式図である。
【図３５】第１３実施例の変型例にかかる吐水装置を表す模式図である。
【図３６】本発明の第１４の実施例にかかる吐水装置の断面を表す模式図である。
【図３７】第１４実施例の変型例の吐水装置の断面を表す模式図である。
【図３８】第１４実施例の変型例の吐水装置の断面を表す模式図である。
【図３９】第１４実施例の変型例の吐水装置の断面を表す模式図である。
【図４０】本発明の第１５実施例の吐水装置を例示する斜視図である。
【図４１】本発明の第１６実施例の吐水装置の断面を表す模式図である。
【図４２】本発明の第１７実施例の吐水装置の吐水ヘッドを例示する斜視図である。
【図４３】人体の頭部などに用いて好適な吐水装置の具体例を表す模式断面図である。
【図４４】第１７実施例のさらに他の具体例を表す模式図である。
【図４５】本発明の第１８実施例の吐水装置の断面を表す模式図である。
【図４６】本発明の第１９実施例の吐水装置を表す模式図である。
【図４７】本発明の第２０の実施例の吐水装置を表す模式図である。
【符号の説明】
１　　容器
２　　蓋
３　　通水路
４　　開閉弁
５　　操作スイッチ
６　　気液分離手段
７　　定流量弁
８　　ノズル
９　　薬剤フォルダー
１０　液体流入口
１１　液体流入室
１２　液体吐出口
１３　液体吐出口Ａ
１４　液体吐出口Ｂ
１５　切り替え手段
１６　突起
１７〜１９　回転体
２０　遮蔽体
５２　リング
５３　ストッパー
４０　チューブ
４２　錘
４４　浮体
８０　吐水ヘッド
８１　容器
８２　蓋
８５　操作スイッチ
８８　ヘッド
８８ｄ　吐水口
８８ｅ　可撓性突起体
９１　容器
９２　蓋
９５　操作スイッチ
９８　ヘッド
９８ｄ　吐水口
１００　発泡薬剤
１１０　発泡水
１１０Ａ　気泡
１１０Ｂ　発泡水の皮膜
２００　人体
【図１】
2004000578.tif 000003
【図２】
2004000578.tif 000004
【図３】
2004000578.tif 000005
【図４】
2004000578.tif 000006
【図５】
2004000578.tif 000007
【図６】
2004000578.tif 000008
【図７】
2004000578.tif 000009
【図８】
2004000578.tif 000010
【図９】
2004000578.tif 000011
【図１０】
2004000578.tif 000012
【図１１】
2004000578.tif 000013
【図１２】
2004000578.tif 000014
【図１３】
2004000578.tif 000015
【図１４】
2004000578.tif 000016
【図１５】
2004000578.tif 000017
【図１６】
2004000578.tif 000018
【図１７】
2004000578.tif 000019
【図１８】
2004000578.tif 000020
【図１９】
2004000578.tif 000021
【図２０】
2004000578.tif 000022
【図２１】
2004000578.tif 000023
【図２２】
2004000578.tif 000024
【図２３】
2004000578.tif 000025
【図２４】
2004000578.tif 000026
【図２５】
2004000578.tif 000027
【図２６】
2004000578.tif 000028
【図２７】
2004000578.tif 000029
【図２８】
2004000578.tif 000030
【図２９】
2004000578.tif 000031
【図３０】
2004000578.tif 000032
【図３１】
2004000578.tif 000033
【図３２】
2004000578.tif 000034
【図３３】
2004000578.tif 000035
【図３４】
2004000578.tif 000036
【図３５】
2004000578.tif 000037
【図３６】
2004000578.tif 000038
【図３７】
2004000578.tif 000039
【図３８】
2004000578.tif 000040
【図３９】
2004000578.tif 000041
【図４０】
2004000578.tif 000042
【図４１】
2004000578.tif 000043
【図４２】
2004000578.tif 000044
【図４３】
2004000578.tif 000045
【図４４】
2004000578.tif 000046
【図４５】
2004000578.tif 000047
【図４６】
2004000578.tif 000048
【図４７】
2004000578.tif 000049